(57)【要約】【課題】注射器の封止欠陥を検出するシステム及び方法の提供。【解決手段】封止領域及び指示領域を含む関連する注射器止具設計を含む、注射器の封止欠陥を検出するためのシステム及び方法、並びに乾燥及び湿潤の注射器における注射器封止欠陥を光学的画像化及び分析するための関連する検査システム及び方法が記載される。【選択図】図５
2020170012.tif 000002
【特許請求の範囲】
【請求項１】
潤滑処理していない乾燥注射器を検査する方法であって、
潤滑処理していない乾燥注射器の注射器外筒とその内部に配置された注射器止具（syringe stopper）との間の接触領域を光学的に画像化して、前記注射器止具と前記注射器外筒の内径との間の封止領域の噛み合わせに相関する封止線を含む接触部画像を形成し、
前記接触部画像で封止線の不連続を分析し、前記注射器が前記不連続に基づいて欠陥基準を超えているか否かを判定する
ことを含む方法。
【請求項２】
前記欠陥基準は前記封止線を横断する不連続部を含む、請求項１に記載の方法。
【請求項３】
前記接触領域の光学的画像化は、前記接触領域を線走査カメラで画像化することを含む、請求項１に記載の方法。
【請求項４】
前記接触領域の光学的画像化は、前記注射器の周囲で前記接触領域の複数の画像を撮ることを含む、請求項１に記載の方法。
【請求項５】
前記接触領域の光学的画像化は、前記注射器の周りを少なくとも完全に一回転して画像データを収集することを含む、請求項１に記載の方法。
【請求項６】
前記接触領域の光学的画像化は、グレースケールの接触部画像を生成することを含む、請求項１に記載の方法。
【請求項７】
前記注射器止具は、前記封止領域に隣接する指示領域を有すると共に、前記封止線の連続部の分析は、前記封止線の色又は強度を前記接触部画像の指示領域の色又は強度と比較することを含む、請求項１に記載の方法。
【請求項８】
前記接触部画像は、前記注射器止具と前記注射器外筒の内径との複数の封止領域の噛み合わせに相関する複数の封止線を含む、請求項１に記載の方法。
【請求項９】
潤滑処理していない湿潤注射器を検査する方法であって、
潤滑処理していない湿潤注射器の注射器外筒に配置された注射器止具との接触領域を光学的に画像化して、前記注射器止具の封止領域に相関する封止線及び前記注射器止具の指示領域に相関する指示線を含む接触部画像を形成し、
前記接触部画像の指示線を分析して、前記指示領域と前記注射器外筒との接触を検出し、
前記指示領域と前記注射器外筒との検出された接触に基づいて前記注射器が欠陥基準を越えているか否かを判定する
ことを含む方法。
【請求項１０】
前記接触部画像は、前記注射器止具の複数の封止領域に相関する複数の封止線を含む、請求項９に記載の方法。
【請求項１１】
前記接触部画像は、前記注射器止具の複数の指示領域に相関する複数の指示線を含む、請求項９に記載の方法。
【請求項１２】
前記接触部画像の指示線を分析して前記指示領域と前記注射器外筒との接触を検出することは、前記指示線の色又は強度を前記封止線の色又は強度と比較することを含む、請求項９に記載の方法。
【請求項１３】
前記指示線は、色及び強度データのうちの少なくとも一方を含み、前記接触部画像の指示線を分析して前記指示領域と前記注射器外筒との接触を検出することは、色及び強度データのうちの少なくとも一方が閾値を超えているか否かを判定することを含む、請求項９に記載の方法。
【請求項１４】
前記接触領域の光学的画像化は、前記接触領域を線走査カメラで画像化することを含む、請求項９に記載の方法。
【請求項１５】
前記接触領域の光学的画像化は、前記注射器の全周で前記接触領域の複数の画像を撮ることを含む、請求項９に記載の方法。
【請求項１６】
前記接触領域の光学的画像化は、前記注射器の周りを少なくとも完全に一回転して画像データを収集することを含む、請求項９に記載の方法。
【請求項１７】
前記接触領域の光学的画像化は、グレースケールの接触部画像を生成することを含む、請求項９に記載の方法。
【請求項１８】
潤滑処理していない乾燥注射器を検査する方法は、
内径及び外径を有する外筒、及び前記外筒に挿入された、封止領域を有する注射器止具を含む注射器を準備し、
前記注射器止具と前記外筒の内径との接触領域を光学的に画像化して、前記封止領域と前記外筒の内径との接触に相関する線を含む接触部画像を形成し、
前記接触部画像を目視で検査する
ことを含み、
ここで前記線が不連続である場合、前記注射器には欠陥がある、方法。
【請求項１９】
湿潤潤滑処理していない注射器を検査する方法であって、
内径及び外径を有する外筒、前記外筒に挿入された、封止領域を有する注射器止具、及び前記封止領域に隣接する指示領域を含む注射器を準備し、
前記注射器止具と前記外筒の内径との接触領域を光学的に画像化して、前記封止領域と前記外筒の内径との接触に相関する幅を有する線を含む接触部画像を形成し、
前記接触部画像を目視で検査する
ことを含み、
ここで前記線及び指示領域の色又は強度が実質的に同じである場合、前記注射器には欠陥がある、方法。
【請求項２０】
潤滑処理していない湿潤注射器を検査する方法であって、
内径及び外径を有する外筒、及び前記外筒に挿入され、第一の封止領域、第二の封止領域、及びこれらの間の指示領域を含む注射器止具を含む注射器を準備し、
前記注射器止具と前記外筒の内径との接触領域を光学的に画像化して、接触部画像を形成し、
前記第一の封止領域と前記外筒の内径との接触に相関する第一の線、前記第二の封止領域と前記外筒の内径との接触に相関する第二の線、及び前記指示領域に相関する前記第一の線と前記第二の線の間の空間を含む前記接触部画像を目視で検査する
ことを含み、
ここで前記指示領域の色又は強度が前記第一の線と前記第二の線の間に延びている場合、前記注射器には欠陥がある、方法。
【発明の詳細な説明】
【技術分野】
【０００１】
本開示は、一般に注射器を検査する方法に関し、より具体的には、注射器の封止欠陥を検出するシステム及び方法に関する。
【背景技術】
【０００２】
薬剤送達に用いられる注射器は、主に外筒及び止具（stopper）から構成される。止具は、注射器の外筒内に摺動可能にはめ込まれている。注射器を作動させ、薬剤を送達するために止具にはプランジャー棒が取り付けられていてもよい。止具は、一般にエラストマーから構成され、シリコーン油が塗布されている。シリコーン油を塗布して、止具と外筒の摺動摩擦を低減し、これらの間の封止を向上させる。このシリコーン油により、投与量を投与する際に全投与量を確実に投与することができるように摺動させるのが容易になる。これは特に、ペン型注射器や、いわゆる自動注入注射器の場合に重要である。シリコーン油はまた、注射部位で外傷になり得る装置の妨害を防ぐのにも重要である。
【０００３】
従来、シリコーン油が注射器に用いられてきたが、このような使用は問題がある場合がある。医薬用途では、シリコーン油の使用は特に懸念される。例えば、シリコーン油は、望ましくないことだが、注射器に入れた医薬品を劣化させ、医薬品中に特定のタンパク質を凝集させることがある。
【発明の概要】
【発明が解決しようとする課題】
【０００４】
潤滑処理された注射器及びされていない注射器のいずれにおいても、止具と注射器外筒との間の有効な封止が懸念される。有効な封止がないと、例えば、保存可能期間の低下及び／又は汚染に繋がる場合がある。注射器の充填の前又は後（「前充填済み」注射器）に有効な封止を判定する正確な方法は未だ実現されていない。
【課題を解決するための手段】
【０００５】
本開示の様々な側面は、注射器の封止部の欠陥を検出する、特に潤滑処理していない注射器の封止部の欠陥を検出する検査システム及び方法に関する。
【０００６】
態様によっては、潤滑処理していない乾燥注射器を検査する方法に関する。この方法は、潤滑処理していない乾燥注射器の注射器外筒とその内部に配置された止具間の接触領域を光学的に画像化して、接触部画像を形成することを含む。この接触部画像は、止具の封止領域と注射器外筒の内径間の噛み合わせに相関する封止線を含む。この方法はまた、接触部画像で封止線の不連続の分析、及びこの不連続に基づいて注射器が欠陥基準を超えているか否かを判定することを含む。
【０００７】
態様によっては、潤滑処理していない湿潤注射器を検査する方法に関する。この方法は、潤滑処理していない湿潤注射器の注射器外筒に配置した止具との接触領域を光学的に画像化して、接触部画像を形成することを含む。この接触部画像は、止具の封止領域に相関する封止線と、止具の指示領域に相関する指示線を含む。この方法はまた、接触部画像の指示線を分析して指示領域と注射器外筒との接触を検出すること、及び検出された指示領域と注射器外筒との接触に基づいて注射器が欠陥基準を超えているか否かを判定することを含む。
【０００８】
態様によっては、潤滑処理していない乾燥注射器を検査する方法に関する。この注射器は、内径及び外径を有する外筒を含み、封止領域を有する止具が挿入されている。この方法はまた、止具と外筒の内径との接触領域を光学的に画像化して、封止領域と外筒の内径の接触に相関する線を含む接触部画像を形成すること、及びこの接触部画像を目視で検査することを含む。線が不連続である場合、その注射器には欠陥があると見なされる。
【０００９】
態様によっては、潤滑処理していない注射器を検査する方法に関する。この注射器は、内径及び外径を有する外筒を含み、止具が挿入されている。この止具は、封止領域、及びこの封止領域に隣接する指示領域を有する。この方法はまた、止具と外筒の内径との接触領域を光学的に画像化して、接触部画像を形成することを含む。この接触部画像は、封止領域と外筒の内径との接触に相関する幅を有する線を含む。この方法はまた、目視で接触部画像を検査することを含み、上記線と指示領域の色が実質的に同じであればその注射器には欠陥がある。
【００１０】
態様によっては、潤滑処理していない湿潤注射器を検査する方法に関する。この注射器は、内径及び外径を有する外筒を含み、止具が挿入されている。止具は、第一の封止領域、第二の封止領域、及びその間の指示領域を有する。この方法はまた、止具と外筒の内径との接触領域を光学的に画像化して、接触部画像を形成することを含む。この接触部画像は、第一の封止領域と外筒の内径との接触に相関する第一の線、及び第二の封止領域と外筒の内径との接触に相関する第二の線を含む。第一の線と第二の線の間の隙間は指示領域に相関する。この方法はまた、上記接触部画像を目視で検査することを含み、指示領域の色が第一の線と第二の線の間に延びている場合、その注射器には欠陥がある。
【図面の簡単な説明】
【００１１】
添付の図面は、本開示をさらに理解するために含まれており、本明細書の一部に組み込まれてその一部を構成している。これらの図面は、態様を例示しており、記載と共に本開示の原理を説明するものである。
【００１２】
【図１】図１は、ある態様による注射器の略図である。
【００１３】
【図２】図２は、ある態様による図１の注射器の止具の部分を示す。
【００１４】
【図３】図３は、ある態様による図１の注射器の他の止具の部分を示す。
【００１５】
【図４】図４は、ある態様による図１の注射器の他の止具の部分を示す。
【００１６】
【図５】図５は、ある態様による図１の注射器を光学的に画像化するシステムの略図である。
【００１７】
【図６】図６は、ある態様による、図１の注射器など、潤滑処理していない乾燥（未充填）注射器を検査する方法の略図である。
【００１８】
【図７】図７は、ある態様による、図１の注射器など、潤滑処理していない湿潤（既充填）注射器を検査する方法の略図である。
【００１９】
【図８】図８は、ある態様による、乾燥状態の注射器システムにおける図２の止具の接触部画像と接触領域の一部を示す。
【００２０】
【図９】図９は、ある態様による、乾燥状態の注射器システムにおける図３の止具の接触部画像と接触領域の一部を示す。
【００２１】
【図１０】図１０は、ある態様による図２の止具を含む注射器の様々な表示を含む。
【００２２】
【図１１】図１１は、ある態様による図３の止具を含む注射器の様々な表示を含む。
【００２３】
【図１２】図１２は、ある態様による図４の止具を含む注射器の様々な表示を含む。
【００２４】
【図１３】図１３は、ある態様によるに図２の止具を含む注射器のカラー画像を含む。
【発明を実施するための形態】
【００２５】
当業者には自明であるが、本開示の様々な側面は、意図された機能を行うようになっている任意の数の方法及び装置により実現されてもよい。また、添付の図面の図は、必ずしも縮尺通りに描画されておらず、本開示の様々な側面を例示するために誇張されている場合がある。この点で、図面の図を限定的と解釈するべきではない。自明であるが、本明細書では、用語「止具」と「注射器止具」は互いに言い換え可能である場合がある。
【００２６】
図１は例示的な注射器１０の略図である。図示のように、注射器１０は、注射器外筒１２、注射器外筒１２を補完するはめ込みを形成する止具１４、プランジャー棒１６、先端キャップすなわち針保護部１８、及び前充填済み態様では注射器１０から供給される薬剤などの液体２０を含む。この注射器１０は「湿潤」システム（すなわち、流体がそれを供給する注射器外筒１２内に含まれている）として示されているが、「乾燥」システム（すなわち、流体がそれを供給する注射器外筒１２にまだ導入されていない）と関連付けられる様々な態様が記載される。
【００２７】
図示のように、注射器外筒１２と止具１４は、互いに摺動可能に噛み合わされた第一及び第二の注射器補完構成要素であり、止具１４は注射器外筒１２内で摺動可能な封止を形成するようになっている。注射器外筒１２と止具１４が線状関係で摺動可能に噛み合わされているが、自明であるように他の摺動関係（例えば、弁本体と弁栓との間の回転摺動）は本発明の範囲内であると見なされる。
【００２８】
注射器外筒１２は、内径又は内表面３０（摺動面としても記載される）を規定している。態様によっては、注射器外筒１２は、実質的に剛性すなわち堅い材料（例えば、ガラス材料（例えば、ホウケイ酸ガラス））、セラミック材料、１種以上の重合体材料（例えば、ポリプロピレン、ポリエチレン、及びこれらの共重合体）、金属材料、又はプラスチック材料（例えば、環状オレフィン重合体（ＣＯＣ）、環状オレフィン共重合体（ＣＯＰ）、及びこれらの組み合わせ）を含む。様々なガラス組成物のいずれかを想起しているが、ホウケイ酸ガラスはある態様による摩擦を低減する方法に関連付けられる有効な材料であることが示されている。次に記載する関連する検査システム及び方法を参照して理解されるように、少なくとも止具１４と外筒１２が互いに接触又は噛み合っている領域では注射器外筒１２は一般に光学的透過材料から形成されている。
【００２９】
図１に示されるように、止具１４は、注射器外筒１２の内表面３０に摺動可能に噛み合う外面３２を規定している。態様によっては、止具１４は注射器外筒１２よりも柔らかい材料を含む。例えば、止具１４はエラストマー性の芯に塗布された１種以上のバリア膜で構成されていてもよく、バリア膜は止具１４の外面３２を規定している。エラストマー性の芯は、様々なエラストマー材料から形成されていてもよい。例えば、これらに限定されないが、ブチル、ブロモブチル、クロロブチル、シリコーン、ニトリル、スチレンブタジエン、ポリクロロプレン、エチレンプロピレンジエン、フッ素エラストマー、熱可塑性エラストマー（ＴＰＥ）、熱可塑性加硫物（ＴＰＶ）、ケイ素、及び商品名ＶＩＴＯＮ（登録商標）で販売されている材料、及びこれらの組み合わせ及び混合物から構成されるゴムが挙げられる。例示的なエラストマー材料としては、ブチルゴム、ブロモブチルゴム、クロロブチルゴム、シリコーン、ニトリル、スチレンブタジエン、ポリクロロプレン、エチレンプロピレンジエン、フッ素エラストマー、及びこれらの組み合わせが挙げられるが、これらに限定されない。
【００３０】
好適なバリア膜の非限定的な例としてはフッ素重合体膜及び圧縮延伸フッ素重合体膜が挙げられ、これらに限定されないが、ポリ四フッ化エチレン（ＰＴＦＥ）及び圧縮延伸ポリ四フッ化エチレン（ｅＰＴＦＥ）膜、フッ化エチレンプロピレン（ＦＥＰ）、ポリエチレン、ポリプロピレン、ポリフッ化ビニリデン、ポリフッ化ビニル、ペルフルオロプロピルビニルエーテル、ペルフルオロアルコキシ重合体、テトラフルオロエチレン−ヘキサフルオロプロピレン−フッ化ビニリデン三元重合体（ＴＨＶ）及び共重合体、及びこれらの組み合わせが挙げられる。
【００３１】
ｅＰＴＦＥに基づくバリア膜は、浸出物及び抽出物に対して薄くて強いバリア層を提供する。Ｋｅｎｎｅｄｙらに付与された米国特許第７，５２１，０１０号、Ｄｏｌａｎらに付与された米国特許第６，０３０，６９４号、Ｆｕｈｒらに付与された米国特許第５，７９２，５２５号、又はＫｎｏｘらに付与された米国特許第５，３７４，４７３号に記載の方法に従って調製した延伸ポリ四フッ化エチレン（ｅＰＴＦＥ）膜を本明細書で用いてもよい。また、圧縮してあれば、Ｂｒａｎｃａに付与された米国特許第５，７０８，０４４号、Ｂａｉｌｌｉｅに付与された米国特許第６，５４１，５８９号、Ｓａｂｏｌらに付与された米国特許第７，５３１，６１１号、Ｆｏｒｄに付与された米国特許第８，６３７，１４４号、及びＸｕ，らに付与された米国特許第９，１３９，６６９に記載の延伸ＰＴＦＥ共重合体を用いてもよい。
【００３２】
このバリア膜はまた、小繊維によって相互結合した交点により特徴付けられるミクロ構造を有する機能性テトラフルオロエチレン（ＴＦＥ）共重合体材料を含む延伸重合体材料を含んでいてもよい。この機能性ＴＦＥ共重合体材料は、ＴＦＥとＰＳＶＥ（ペルフルオロスルホニルビニルエーテル）との機能性共重合体、又は他の好適な機能性単量体（これらに限定されないが、フッ化ビニリデン（ＶＤＦ）、酢酸ビニル、又はビニルアルコールなど）とのＴＦＥ共重合体が挙げられる。この機能性ＴＦＥ共重合体材料は、例えば、Ｘｕらに付与された米国特許第９，１３９，６６９号又はＸｕらに付与された米国特許第８，６５８，７０７号に記載の方法に従って調製されてもよい。
【００３３】
このバリア膜はまた、障壁層及び多孔性層を有する複合フッ素重合体膜を含んでいてもよい。多孔性層は、例えば、ｅＰＴＦＥ又は他の多孔性延伸及び小繊維化フッ素重合体（例えば、Ｂａｉｌｌｅに付与された米国特許第６，５４１，５８９号で教示されるｅＰＴＦＥ）で形成されていてもよい。ｅＰＴＦＥ層に有機又は無機材料を充填して色、潤滑性、又は他の機能を提供してもよい。
【００３４】
止具１４は様々な構成を取ることができる。図２は、注射器１０の止具１４として用いられる止具１４ａの一部を示す。図示のように、止具１４ａは、注射器外筒１２の先端の方を向き、かつ注射器外筒１２に含まれているかこれから含まれる流体の方向を向くようになっている遠位端３８ａを持つ。止具１４ａは、止具１４ａのわずかに大きくなった直径を規定している盛り上がった封止リブに対応する封止領域４０ａを含む。単一の封止領域が描かれているが、勿論、必要に応じて任意の数の封止リブを用いてもよい（事実、図２では封止領域４０ａに対応する封止リブの近くに他の封止リブが示されている）。止具１４ａはまた、封止領域４０ａにすぐ隣接する指示領域４２ａを含む。図示のように、指示領域４２ａは封止領域４０ａよりもわずかに小さい直径を有する。ここでもまた、単一の指示領域が最も遠位の封止領域４０ａに関連付けられて用いられるが、自明のように、そのような態様が本発明の範囲内であると見なされるように、所望に応じて任意の数の指示領域を任意の封止領域と関連付けて任意の縦方向の位置に用いてもよい。
【００３５】
指示領域４２ａは、一般に、最前方すなわち最遠位の封止領域（図２の封止領域４０ａ）に隣接する領域である。図示のように、指示領域４２ａは、封止領域４０ａと注射器外筒１２との接触圧力よりも小さく、液体を密封するのに必要な接触圧力よりも小さい注射器外筒１２との接触圧力を示すようになっている。指示領域４２ａは、最も前方の封止が破れたときに発生する液体の存在下、その液体を毛細管作用で運んで、光学的に画像化した場合に指示領域４２ａの外観に目に見える変化を生じさせるようになっている。態様によっては、指示領域４２ａは止具１４ａと注射器外筒１２との接触圧力よりも圧力が小さい（例えば、約１ＭＰａ未満）領域である。
【００３６】
態様によっては、指示領域４２ａは注射器外筒１２から離れて（すなわち注射器外筒１２と直接接触しないように）設けられるようになっているが、液体が封止領域４０ａを通って漏れた場合に液体が毛細管作用により指示領域に入るように注射器外筒１２に十分に近くなっている。態様によっては、この隙間は約０．１ｍｍ未満であるが、例えば、流体の表面張力及び粘度によって様々な隙間や隙間の大きさが想起される。
【００３７】
図３は、ある態様による、注射器１０の止具１４として用いられる他の止具１４ｂの部分を示す。図示のように、止具１４ｂは、注射器外筒１２の先端及び注射器外筒１２に含まれているかこれから含まれる流体の方向を向くようになっている遠位端３８ｂを持つ。止具１４ｂは、止具１４ｂのわずかに大きくなった直径を規定している盛り上がった封止リブに対応する封止領域４０ｂを含む。単一の封止領域が描かれているが、勿論、所望に応じて任意の数の封止リブを用いてもよい（図３は、封止領域４４ｂを形成する第二のより近位の封止リブを示している）。止具１４ｂは、２つの封止リブの間に位置し、封止領域４０ｂの近位側に隣接して配置された指示領域４２ｂを含む。図示のように、指示領域４２ｂは封止領域４０ｂよりもわずかに小さい直径を持っている。ここでもまた、単一の封止領域が描かれているが、勿論、必要に応じて任意の数の指示領域を任意の封止領域と関連付けて任意の縦方向の位置に用いてもよく、そのような態様は本発明の範囲内であると見なされる。
【００３８】
図３に示すように、指示領域４２ｂは２つの封止領域４０ｂ、４４ｂの間に位置し、封止領域４０ｂと注射器外筒１２の接触圧力より小さく、液体を密封するのに必要な接触圧力よりも小さい注射器外筒１２との接触圧力（例えば、約１ＭＰａ未満）を示すようになっている。指示領域４２ｂは、封止領域の封止に欠陥がある場合に毛細管作用により液体を運んで、光学的に画像化した際に指示領域４２ｂの外観に目に見える変化が生じるようになっている。
【００３９】
小さい接触圧力ではなく、指示領域４２ｂの全体又は一部は注射器外筒１２から離して（例えば、ゼロより大きく０．１ｍｍ未満）設けられるようになっていてもよい。このような場合、指示領域又はその一部は、流体が毛細管作用により指示領域に入るのを促進して、漏れが目視できるようにする。
【００４０】
図４は、注射器１０の止具１４として用いられる他の止具１４ｃの部分を示す。図示のように、止具１４ｃは、注射器外筒１２の先端及び注射器外筒１２に含まれているかこれから含まれる流体の方を向くようになっている遠位端３８ｃを持っている。止具１４ｃは、最遠位の封止領域４０ｃと他の封止領域４４ｃを含む。封止領域４０ｃ、４４ｃはそれぞれ止具１４ｃのわずかに大きくなった直径を規定している盛り上がった封止リブに対応する。勿論、必要に応じて任意の数の指示領域を用いてもよく、そのような態様は本発明の範囲内であると見なされる。止具１４ｃはまた、２つの封止リブの間に位置し、封止領域４０ｃの近位側に隣接して配置された指示領域４２ｃを含む。図示のように、指示領域４２ｃは封止領域４０ｃよりもわずかに小さい直径を持つ。また、図示のように、指示領域４２ｃは、封止領域４０ｃ、４４ｃに比べて比較的平坦な先細りになっていない構成を含む。ここでもまた、単一の封止領域が用いられるが、勿論、必要に応じて任意の数の指示領域を任意の封止領域と関連付けて任意の縦方向の位置に用いてもよく、そのような態様は本発明の範囲内であると見なされる。
【００４１】
図４に示すように、指示領域４２ｃは注射器外筒１２から離れている（すなわち、注射器外筒１２と直接接触していない）が、注射器外筒１２に十分に近く、液体が封止領域４０ｃを通って漏れた場合に液体が毛細管作用により指示領域に入るようになっている。態様によっては、この隙間は約０．１ｍｍ未満であるが、例えば、流体の表面張力及び粘度によって様々な隙間や隙間の大きさが想起される。また、代替方法として、指示領域４２ｃ又はその一部は、低減された接触圧力（例えば、約１ＭＰａ未満）を示して、封止領域の封止に欠陥がある場合に毛細管作用により液体を運んで、光学的に画像化した際に指示領域４２ｂの外観に目に見える変化が生じるようになっている。
【００４２】
図５は、所望に応じて湿潤（充填済み）又は乾燥（充填なし）のいずれの状態でも注射器１０を光学的に画像化する装置１００の略図である。この装置１００は、注射器１０の封止及び／又は指示領域を画像化する画像化モジュール１１０、及び画像化モジュール１１０による画像データの収集を制御して画像データを処理する制御モジュール１２０を含む。画像化モジュール１１０は、画像化装置１５０、載置台１５２、及び照明装置１５４を含む。
【００４３】
画像化装置１５０は、キーエンスモデルＸＧ−ＨＬ０４Ｍ線走査カメラ又はＴＤＩ線走査カメラなど、所望のようにグレースケール及び／又は色画像データの収集を含む連続画像化をする線走査カメラであってもよい。画像化装置１５０はまた、商品名「キーエンス」で販売されているモデルＶＨＸ−１００Ｅなどのデジタル顕微鏡であってもよい。さらに他の態様では、画像化装置１５０は、キーエンスＸＧ−２００Ｍなどのデジタルカメラであってもよい。画像化装置１５０は、止具１４が注射器外筒１２の内径に接触する注射器１０の接触領域１５８で画像画素データを収集するようになっている。態様によっては、画像化装置１５０は、止具１４と注射器外筒１２との接触線に実質的に正接している線に沿って画像データを収集するようになっている。
【００４４】
載置台１５２は、画像化中に注射器１０を保持して、画像化中に注射器の中央縦軸を中心に注射器１０を回転させる回転式固定部１６０を含む。他の態様では、載置台１５２は、注射器１０の周りを画像化装置１５０が回転するようになっている。例えば、載置台は、商品名「ＯＲＩＥＮＴＡＬ  ＭＯＴＯＲ」モデルＤＧ６０−ＡＲＡＫＤ−３で販売されているような回転式固定部１６０を含んでいてもよい。
【００４５】
照明装置１５４は、明視野照明、暗視野照明、ストロボ照明、連続照明、及びこれらの組み合わせにより構成されていてもよい。このような態様はいずれも本発明の範囲内である。
【００４６】
態様によっては、制御モジュール１２０は、画像化モジュールからの画像データを収集して処理するハードウェア及びソフトウェアを含む。態様によっては、制御モジュール１２０は、カメラ制御信号を送受信するカメラ制御部１７０、照明制御信号を送受信する照明制御部１７２、載置台制御信号を送受信する載置台制御部１７４、及び収集した画像データを受信して処理する画像化部１７６を含む。制御モジュール１２０は、所望のように、１つ以上のユーザーインターフェース（例えば、キーボード、マウス、又はタッチパネル）、１つ以上のユーザー表示部（例えば、モニター）、及び他のハードウェア及びソフトウェアを含んでいてもよい。
【００４７】
図６は、潤滑処理していない乾燥注射器１０を検査する方法２００の略図である。「湿潤」系（すなわち、外筒１２内に液体が存在する系）では、「潤滑処理していない」注射器１０は、外筒１２内に含まれる流体（例えば、薬剤）の他は、止具１４と外筒１２の間に滑性のための流体（例えば、シリコーン油）を含まない。「乾燥」系（すなわち、外筒１２内に液体が存在しない系）では、「潤滑処理していない」系は、止具１４と外筒１２の間に滑性のための流体（例えば、シリコーン油）を含まない。この方法は、接触領域の画像化２１０、接触部画像の分析２２０、及び封止部の欠陥の検出２３０を含む。この方法は検査装置１００を用いて行ってもよい。
【００４８】
接触領域の画像化２１０は、光学的に接触領域１５８を画像化して接触部画像（すなわち、接触部画像データ）を生成することを含む。接触部画像は、止具１４の封止領域（例えば、封止領域４０ａ、４０ｂ、又は４０ｃ）と注射器外筒１２の内径間の噛み合わせに相関する光学的に検出可能な封止線を含む。態様によっては、接触領域１５８は線走査カメラにより画像化される。注射器１０の全周の（例えば、注射器１０の周りを少なくとも完全に一周した）接触領域の複数の画像又は走査を取ることによってこの接触領域を画像化してもよい。必要なら、注射器１０を回転させながら、接触領域を連続走査してもよい。画像データは、必要に応じてグレースケール画像データ又は色画像データであってもよい。
【００４９】
接触部画像の分析２２０は、接触部画像の封止線の不連続の分析を含む。態様によっては、封止線の不連続は、止具１４と外筒１２とのコントラスの差及び／又は「良好な」封止すなわち所望の度合いの封止接触と不連続すなわち望ましくない量の封止接触の差として現れる。以下の実施例で示すように、封止線は、一般に、暗線又は第一の色の線に対応し、不連続部は、明領域又は異なる色の領域として現れる。所望に応じて手動の目視による検査とデータ処理技術の両方又は片方用いて、接触部画像データの封止線並びに封止線の不連続を位置決めし、定量し、さらに強調してもよい。これらの技術は、画像フィルター、エッジ検出器、及び他のデータ画像化技術を施すことが含まれる。
【００５０】
封止部の欠陥の検出２３０は、不連続性に基づいて注射器１０が欠陥基準を越えるか否かを判定することを含む。態様によっては、この欠陥基準は、封止線全体（封止線の一方の側から他方の側に移動する流体路を示す）の幅を横断する１つ以上の不連続を含む。この欠陥基準はまた、追加の欠陥パラメータ（例えば、総欠陥面積、封止線を横断して検出された個別の欠陥の総数、その他）を含んでいてもよい。
【００５１】
図７は、潤滑処理していない湿潤注射器１０を検査する方法３００の略図である。この方法は、接触領域の画像化３１０、接触部画像の分析３２０、及び封止部の欠陥の検出３３０を含む。方法２００と同様に、この方法３００も検査装置１００を用いて行ってもよい。
【００５２】
態様によっては、注射器１０内に液体（例えば、薬剤）が存在する場合に接触領域の画像化３１０は、止具１４と注射器外筒１２との接触領域１５８の光学的画像化を含む。接触領域を画像化して、接触部画像（すなわち、接触部画像データ）を生成する。接触部画像は、止具１４の封止領域（例えば、封止領域４０ａ、４０ｂ、又は４０ｃ）と注射器外筒１２の内径間の噛み合わせに相関する封止線を含む。態様によっては、接触部画像は、注射器１０の指示領域（例えば、指示領域４２ａ、４２ｂ、４２ｃ）に相関する指示線を含む。指示線の画像データを封止線のデータと比較してもよい。封止線が指示線と同じ色又はコントラストである１つ以上の領域を含む場合、これらの領域は欠陥領域として識別することができる。このように、止具１２と外筒１４との接触が小さいか全くない場合の較正として指示領域を用いてもよい。参照として、指示線又はその一部は、封止に実際の欠陥がある場合にのみ存在してもよい。
【００５３】
態様によっては、接触領域１５８は線走査カメラで画像化される。注射器１０の全周の（例えば、注射器１０の周りを少なくとも完全に一周した）接触領域の複数の画像又は走査を取ることによってこの接触領域を画像化してもよい。必要なら、注射器１０を回転させながら、接触領域を連続走査してもよい。画像データは、必要に応じてグレースケール画像データ又は色画像データであってもよい。
【００５４】
態様によっては、接触部画像の分析３２０は、接触部画像の指示線を分析して、指示領域と注射器外筒との接触を検出することを含む。上述のように、湿潤システムでの封止部の欠陥の存在下では、指示領域はより大きな接触部を示す。というのは、流体は注射器外筒１２と止具１４の指示領域に毛細管作用により運ばれるか、そうでなければ移動するからである。以下の実施例で示すように、欠陥のない良好な封止の場合、封止線は一般に、暗線又は第一の色の線に対応し、指示線は明領域又は異なる色の領域として現れる。
【００５５】
態様によっては、指示線は色及び強度データのうちの少なくとも１つを含み、接触部画像の指示線を分析して指示領域と注射器外筒との接触を検出することは色及び強度データのうち少なくとも１つが閾値を越えているか否かを判定することを含む。漏れがある場合、指示線は正常な場合、よりも暗く現れるか封止線と同様の暗さ又は色である。色画像データの場合、方法によっては、指示線の色を封止線の色と比較することを含む。必要に応じて手動の目視による検査とデータ処理技術の両方又は片方を用いて、接触部画像データの封止線並びに封止線の不連続を位置決めし、定量し、さらに強調してもよい。これらの技術は、画像フィルター、エッジ検出器、及び他のデータ画像化技術を施すことが含まれる。
【００５６】
封止の欠陥の検出３３０は、指示領域（例えば、指示領域４２ａ、４２ｂ、４２ｃ）と注射器外筒１２との検出された接触に基づいて注射器１０が欠陥基準を越えているか否かを判定することを含む。態様によっては、この欠陥基準は検出された指示線の幅が所定の閾値（例えば、予測指示線幅）を越えていることを含む。態様によっては、この欠陥基準は、指示線の有無（例えば、指示領域は流体のないときは注射器外筒と接触しない）、選択された限界値内にある指示線と封止線の色、強度、又はコントラスト、あるいは例えば、選択された限界値を越える指示線の色、強度、又はコントラストを検出することを含む。
【００５７】
図８は、潤滑処理していない乾燥注射器システム１０の止具１４ａに対応する接触領域の接触部画像の一部（図８（ａ））を示す。図示のように、接触領域１５８（図５）の接触部画像は、封止領域４０ａに相関する封止線、及び指示領域４２ａに相関する指示線を含む。図８（ａ）の接触部画像で示すように、不連続４００ａの形態でいくつかの欠陥が封止線及び指示線の両方を横断している。注射器１０を回転させて注射器１０の全周で接触領域を画像化しながら、線走査カメラで接触領域を連続画像化して接触部画像を撮影した。
【００５８】
図９は、潤滑処理していない乾燥注射器システムの止具１４ｂに対応する接触領域の接触部画像（図９（ａ））の一部を示す。図示のように、接触領域の接触部画像は、封止領域４０ｂに相関する封止線、及び指示領域４２ｂに相関する指示線を含む。図９（ａ）の接触部画像に示すように、不連続４００ｂの形態でいくつかの欠陥が封止線及び指示線の両方を横断している。注射器を回転させて注射器１０の全周で接触領域を画像化しながら、線走査カメラで接触領域を連続画像化して接触部画像を撮影した。態様によっては、装置１００（図５）はこのような接触部画像データを収集するようになっている。
【００５９】
図１０は、止具１４ａを含む注射器１０の接触部画像と、参照用の止具１４ａの画像を含む。図１０（ａ）は、流体が存在しない（乾燥）止具１４ａの接触部画像である。図１０（ａ）の乾燥状態の画像は欠陥のない（すなわち、封止が「良好な」）注射器の指示線を示す。図１０（ｂ）は、流体が存在する（湿潤の）場合の接触部画像である。図１０（ｃ）は、参照用の止具１４ａの接触領域を示す。図１０（ｂ）の参照符号４１０ａによって識別されるように、指示線は、封止領域４０ａに欠陥があると（図示せず）比較的幅が広く、暗くなっている。指示領域４２ａの暗く幅が広くなっている指示線は、液体が封止領域４０ａを通った結果である。この封止線はまた、図１０（ａ）の乾燥状態の画像に比べて、封止領域の遠位すなわち前方に流体が存在するために幾分暗く幅が広く見える。従って、ある態様による欠陥の検出は、指示線の暗部及び幅のうち１つ以上の分析を含む。図１０（ａ）及び図１０（ｂ）の接触部画像は、注射器１０を回転させながら、線走査カメラで接触領域の連続画像化を用いて注射器１０の全周の接触領域を画像化して得た。態様によっては、装置１００（図５）はこのような接触部画像データを収集するようになっている。
【００６０】
図１１は、止具１４ｂを含む注射器１０の様々な図を含む。図１１（ａ）は、流体が存在しない（乾燥）止具１４ｂの接触部画像である。参照のため、図１１（ａ）の乾燥状態の画像は、一般に、欠陥のない（すなわち、封止が「良好な」）注射器に指示線がどのように現れるかを示している。図１１（ｂ）は、流体が存在する（湿潤）接触部画像である。図１１（ｃ）は、参照用の止具１４ｂの接触領域を示す。図１１（ｂ）の参照符号４１０ｂによって識別されるように、指示線は、封止領域４０ｂに欠陥があると（図示せず）比較的暗くなる。指示領域４２ｂの暗く幅が広くなっている指示線は、流体が封止領域４０ｂを通った結果である。この封止線はまた、図１１（ａ）の乾燥状態の画像に比べて、封止領域の遠位すなわち前方に流体が存在するために幾分暗く幅が広く見える。従って、ある態様による欠陥の検出は、（例えば、乾燥状態の画像又は封止線と比較して）指示線の暗部の分析を含む。図１１（ａ）及び図１１（ｂ）の接触部画像は、注射器１０を回転させながら、線走査カメラで接触領域の連続画像化を用いて注射器１０の全周の接触領域を画像化して得た。態様によっては、装置１００（図５）はこのような接触部画像データを収集するようになっている。
【００６１】
図１２は、止具１４ｃを含む注射器１０の様々な略図を含む。図１２（ａ）は、流体が存在しない（乾燥）止具１４ｂの接触部画像である。参照のため、図１２（ａ）の乾燥状態の画像は、一般に、欠陥のない（すなわち、封止が「良好な」）注射器に指示線がどのように現れるかを示している。図１２（ｂ）は、流体が存在する（湿潤）接触部画像である。図１２（ｂ）の参照符号４１０ｃによって識別されるように、指示線は、封止領域４０ｂに欠陥があると（図示せず）比較的暗くなる。図１２（ｃ）は、参照用の止具１４ｂの接触領域を示す。
【００６２】
図１２（ｂ）に示すように、指示領域４２ｃの暗くなっている指示線は、流体が封止領域４０ｃを通った結果である。この封止線はまた、図１２（ａ）の乾燥状態の画像に比べて、封止領域の遠位すなわち前方に流体が存在するために幾分暗く幅が広く見える。従って、ある態様による欠陥の検出は、（例えば、乾燥状態の画像又は封止線と比較して）指示線の暗部の分析を含む。参照のため、様々な接触部画像に関連付けて用いられる用語「線」は、指示領域、又は止具の設計に基づいて指示領域が予測される接触部画像の領域に対応することを意味する。例えば、図１２（ａ）及び図１２（ｂ）で、指示「線」は、第一の封止領域４０ｃと第二の封止領域４４ｃの間の領域に対応する。図１２（ａ）及び図１２（ｂ）の接触部画像は、注射器１０を回転させながら、線走査カメラで接触領域の連続画像化を用いて注射器１０の全周の接触領域を画像化して得た。態様によっては、装置１００（図５）はこのような接触部画像データを収集するようになっている。
【００６３】
図１３は、ある態様による止具１４ａを含む欠陥のない注射器と欠陥のある注射器のカラー画像を含む。図１３（ａ）は、止具１４ａを含む潤滑処理していない注射器の湿潤状態の画像である。参照のため、図１３（ａ）の湿潤状態の画像は、指示線（破線で囲み、参照符号５１０ａで示されている）が一般に、欠陥のない（すなわち、封止が「良好な」）注射器でどのように現れるかを示している。図１３（ｂ）は、指示線（破線で囲み、参照符号５１０ｂで示されている）が欠陥のある（すなわち、封止が「悪い」）注射器でどのように現れるかを示している。図示のように、注射器に欠陥のない、すなわち漏れがない場合、指示線の色がその上の封止線の色と異なっている。これに対して、欠陥があり、流体が止具１４ａの封止領域４２ａを通った場合、図１３（ｂ）の指示線は封止線と実質的に同じ色である。図１３（ａ）及び図１３（ｂ）の接触部画像は、デジタル顕微鏡を用いて注射器の接触領域を画像化して得たが、装置１００が注射器の全周のこのようなカラー画像データを収集するようになっていることが予期される。また、これは本発明の範囲内である。
【００６４】
他の側面では、本明細書で記載する注射器は、例えば、薬物及び生物製剤など異なる治療化合物と組み合わせて用いられてもよい。そのような治療化合物としては、これらに限定されないが、抗体、アンチセンス、ＲＮＡ干渉、遺伝子治療、一次幹細胞及び胚性幹細胞、ワクチン、及びこれらの組み合わせが挙げられる。例えば、本明細書で記載する態様は、以下のいずれか又はすべてと組み合わせて用いてもよい。
【００６５】
細胞治療は以下の細胞を用いる。そのような細胞としては、元は内胚葉に由来する細胞（例えば、外分泌上皮細胞及びホルモン分泌細胞）、元は外胚葉に由来する細胞（例えば、角化上皮細胞、湿潤重層障壁上皮細胞、感覚変換器細胞、自律神経細胞、感覚器官及び末梢ニューロン支持細胞、中枢神経系神経細胞及びグリア細胞、レンズ細胞）；主に中胚葉に由来する細胞（例えば、代謝細胞及び貯蔵細胞、障壁機能細胞（肺、腸、外分泌腺、及び尿生殖路））；細胞外基質細胞、収縮性細胞、血液細胞及び免疫細胞、生殖細胞、ナース細胞、間質細胞、又はこれらの組み合わせが挙げられる。また、遺伝的、化学的、あるいは物理的に変化又は変性した細胞も本発明の範囲内と見なされる。
【００６６】
外分泌上皮細胞としては、これらに限定されないが、唾液腺粘液細胞、唾液腺＃１、舌のフォン・エブネル腺細胞、乳腺細胞、涙腺細胞、耳の耳道腺細胞、エクリン腺暗細胞、エクリン腺明細胞、アポクリン腺細胞、瞼の睫毛腺細胞、皮脂腺細胞、鼻のホーマン腺細胞、十二指腸のブルンナー腺細胞、精嚢細胞、前立腺細胞、尿道球腺細胞、バルトリン腺細胞、尿道腺細胞、子宮内膜細胞、呼吸器及び胃腸管の単離杯細胞、胃粘膜細胞、胃腺酵素原細胞、胃腺酸分泌細胞、膵腺房細胞、小腸のパネート細胞、肺のＩＩ型肺細胞、肺のクララ細胞が挙げられる。ホルモン分泌細胞としては、これらに限定されないが、脳下垂体前葉細胞、脳下垂体中葉細胞、大型神経分泌ニューロン細胞、消化管及び呼吸管の細胞、甲状腺細胞、副甲状腺細胞、副腎皮質細胞、テストステロンを分泌する精巣のライディッヒ細胞、エストロゲンを分泌する卵胞の内莢膜細胞、プロゲステロンを分泌する破裂した卵胞の黄体細胞、傍糸球体細胞、腎臓の緻密斑細胞、腎臓の周極細胞、腎臓のメサンギウム細胞、膵島細胞が挙げられる。角化上皮細胞としては、これらに限定されないが、表皮性ケラチン産生細胞、表皮性基底細胞、手の爪及び足の爪のケラチン産生細胞、爪床基底細胞、髄様毛幹細胞、皮質毛幹細胞、クチクラ毛幹細胞、クチクラ毛根鞘細胞、ハクスリー層の毛根鞘細胞、ヘンレ層の毛根鞘細胞、外毛根鞘細胞、毛母細胞が挙げられる。湿潤重層障壁上皮細胞としては、これらに限定されないが、角膜、舌、口腔、食道、肛門管、遠位尿道、及び膣の上皮の重層扁平上皮及び基底細胞の表面上皮細胞、尿道上皮細胞が挙げられる。感覚変換器細胞としては、これらに限定されないが、コルチ器の内有毛細胞、コルチ器の外有毛細胞、嗅上皮の基底細胞、冷覚感覚一次知覚性ニューロン、熱覚感覚一次知覚性ニューロン、表皮のメルケル細胞、嗅覚受容神経，一次知覚性ニューロン、目の網膜の光受容体細胞、固有受容性一次知覚性ニューロン、触覚一次知覚性ニューロン、Ｉ型頚動脈小体細胞、ＩＩ型頚動脈小体細胞、耳の前庭系のＩ型有毛細胞、耳のＩＩ型頚動脈小体細胞、Ｉ型味蕾細胞が挙げられる。自律神経細胞としては、これらに限定されないが、コリン作動性神経細胞、アドレナリン作動性神経細胞、ペプチド作動性神経細胞が挙げられる。感覚器官及び末梢ニューロン支持細胞としては、これらに限定されないが、コルチ器の内柱細胞、コルチ器の外柱細胞、コルチ器の内指節細胞、コルチ器の外指節細胞、コルチ器の境界細胞、コルチ器のヘンゼン細胞、前庭器支持細胞、味蕾支持細胞、嗅上皮支持細胞、シュワン細胞、衛星グリア細胞、腸グリア細胞が挙げられる。中枢神経系神経細胞及びグリア細胞としては、これらに限定されないが、アストロサイト、ニューロン細胞、希突起膠細胞、紡錘形神経細胞が挙げられる。レンズ細胞としては、これらに限定されないが、前部レンズ表皮細胞、結晶性レンズ繊維細胞が挙げられる。代謝及び貯蔵細胞としては、これらに限定されないが、脂肪細胞、肝脂肪細胞が挙げられる。障壁機能細胞としては、これらに限定されないが、腎臓壁細胞、腎臓糸球体上皮細胞、腎臓近位尿細管刷子縁細胞、ヘンレのループ細いセグメントの細胞、腎臓遠位尿細管細胞、腎臓集合管細胞、主細胞、間在細胞、Ｉ型肺胞上皮細胞、膵管細胞、平滑筋導管細胞、主細胞、間在細胞、管細胞、腸刷子縁細胞、外分泌腺線条導管細胞、胆嚢上皮細胞、精巣輸出管非線毛細胞、精巣上体主細胞、精巣上体基底細胞が挙げられる。細胞外基質細胞としては、これらに限定されないが、エナメル芽細胞、耳の前庭系の半月面上皮細胞、コルチ器歯間上皮細胞、疎性結合組織線維芽細胞、隔膜線維芽細胞、腱線維芽細胞、骨髄細網結合組織線維芽細胞、その他の非上皮線維芽細胞、周皮細胞、椎間板の髄核細胞、セメント芽細胞、象牙芽細胞、硝子軟骨細胞、線維軟骨細胞、弾性軟骨細胞、骨芽細胞，骨前駆細胞、目の硝子体の硝子体細胞、耳の外リンパ腔星細胞、肝臓星細胞、膵臓星細胞が挙げられる。収縮性細胞としては、これらに限定されないが、骨格筋細胞、衛星細胞、心筋細胞、平滑筋細胞、光彩の筋上皮細胞、外分泌腺の筋上皮細胞が挙げられる。血液細胞及び免疫細胞としては、これらに限定されないが、赤血球、巨核球、単球、結合組織マクロファージ、上皮ランゲルハンス細胞、破骨細胞、樹状細胞、小膠細胞、好中性顆粒球、好酸性顆粒球、好塩基性顆粒球、ハイブリドーマ細胞、肥満細胞、ヘルパーＴ細胞、サプレッサーＴ細胞、細胞傷害性Ｔ細胞、ナチュラルキラーＴ細胞、Ｂ細胞、ナチュラルキラー細胞、網赤血球、幹細胞及び血液及び免疫系に関わる前駆体が挙げられる。生殖細胞としては、これらに限定されないが、卵原細胞／卵母細胞、精子細胞、精母細胞、精原細胞、精子が挙げられる。ナース細胞としては、これらに限定されないが、卵巣濾胞細胞、セルトリ細胞、胸腺上皮細胞が挙げられる。間質細胞としては、これらに限定されないが、間質腎臓細胞及びこれらの組み合わせが挙げられる。
【００６７】
タンパク質標的又は遺伝子に対して作製された抗体、アンチセンス、ＲＮＡ干渉、又は遺伝子治療の例としては、血管拡張性失調症変異タンパク質(Ataxia Telangiectasia Mutated)、腫瘍タンパク質ｐ５３、チェックポイントキナーゼ２、乳癌感受性タンパク質、二重鎖切断修復タンパク質、ＤＮＡ修復タンパク質ＲＡＤ５０、Ｎｉｂｒｉｎ、ｐ５３結合タンパク質，ＤＮＡ損傷チェックポイントタンパク質のメディエータ、Ｈ２ＡヒストンファミリーメンバーＸ、マイクロセファリン、Ｃ末端結合タンパク質１、染色体構造維持タンパク質１Ａ；エステラーゼ；ホスファターゼが挙げられる。イオンチャネルとしては、これらに限定されないが、リガンドゲートイオンチャネル、電圧ゲートイオンチャネルが挙げられる。成長因子としては、これらに限定されないが、神経成長因子（ＮＧＦ）、血管内皮成長因子（ＶＥＧＦ）、血小板由来成長因子（ＰＤＧＦ）、Ｃ−ｆｏｓ誘導成長因子（ＦＩＧＦ）、血小板活性化因子（ＰＡＦ）、形質転換成長因子β（ＴＧＦ−β）、骨形態形成タンパク質（ＢＭＰ）、アクチビン、インヒビン、線維芽細胞成長因子（ＦＧＦ）、顆粒球コロニー刺激因子（Ｇ−ＣＳＦ）、顆粒球マクロファージコロニー刺激因子（ＧＭ−ＣＳＦ）、グリア細胞株由来神経栄養因子（ＧＤＮＦ）、成長分化因子−９（ＧＤＦ９）、上皮成長因子（ＥＧＦ）、形質転換成長因子−α（ＴＧＦ−α）、成長因子（ＫＧＦ）、遊走刺激因子（ＭＳＦ）、肝細胞成長因子様タンパク質（ＨＧＦＬＰ）、肝細胞成長因子（ＨＧＦ）、ヘパトーマ由来成長因子（ＨＤＧＦ）、インスリン様成長因子が挙げられる。Ｇタンパク質結合受容体（GＰＣＲ） としては、これらに限定されないが、以下のものが挙げられる。アデノシン受容体ファミリー、アドレナリン受容体ファミリー、アンジオテンシンＩＩ受容体、アペリン受容体、バソプレッシン受容体ファミリー、脳特異的血管新生阻害因子ファミリー、ブラジキニン受容体ファミリー、ボンベシン受容体ファミリー、補体成分３ａ受容体１、補体成分５ａ受容体１、カルシトニン受容体ファミリー、カルシトニン受容体様ファミリー、カルシウム感知受容体、コレシストキニンＡ受容体（ＣＣＫ１）、コレシストキニンＢ受容体（ＣＣＫ２）、ケモカイン（Ｃ−Ｃモチーフ）受容体ファミリー、スフィンゴシン−１−リン酸受容体ファミリー、コハク酸受容体、コリン作動性受容体ファミリー。ケモカイン様受容体ファミリー、カンナビノイド受容体ファミリー、コルチコトロピン放出ホルモン受容体ファミリー、プロスタグランジンＤ２受容体、ケモカインＣ−Ｘ３−Ｃ受容体ファミリー、ケモカイン（Ｃ−Ｘ−Ｃモチーフ）受容体ファミリー、バーキットリンパ腫受容体、ケモカイン（Ｃ−Ｘ−Ｃモチーフ）受容体ファミリー、システイニルロイコトリエン受容体２（ＣＹＳＬＴ２）、ケモカイン受容体（ＦＹ）、ドーパミン受容体ファミリー、Ｇタンパク質結合受容体１８３（ＧＰＲ１８３）、リゾホスファチド酸受容体ファミリー、エンドセリン受容体ファミリー、凝固因子ＩＩ（凝固）受容体ファミリー、遊離脂肪酸受容体ファミリー、ホルミルペプチド受容体ファミリー、卵胞刺激ホルモン受容体（ＦＳＨＲ）、γ−アミノ酪酸（ＧＡＢＡ）Ｂ受容体、ガラニン受容体ファミ��ー、グルカゴン受容体、成長ホルモン放出ホルモン受容体（ＧＨＲＨ）、グレリン受容体（グレリン）、成長ホルモン分泌促進因子受容体１ｂ（ＧＨＳＲ１ｂ）、胃抑制ポリペプチド受容体（ＧＩＰ）、グルカゴン様ペプチド受容体ファミリー、性腺刺激ホルモン放出ホルモン受容体（ＧｎＲＨ）、ピログルタミン化ＲＦアミドペプチド受容体（ＱＲＦＰＲ）、Ｇタンパク質結合胆汁酸受容体１（ＧＰＢＡ）、ヒドロキシカルボン酸受容体ファミリー、リゾホスファチド酸受容体４（ＬＰＡ４）リゾホスファチド酸受容体５（ＧＰＲ９２）、Ｇタンパク質結合受容体７９偽遺伝子（ＧＰＲ７９）、ヒドロキシカルボン酸受容体１（ＨＣＡ１）、Ｇタンパク質結合受容体（Ｃ５Ｌ２、ＦＦＡ４、ＦＦＡ４、ＦＦＡ４、ＧＰＥＲ、ＧＰＲ１、ＧＰＲ１０１、ＧＰＲ１０７、ＧＰＲ１１９、ＧＰＲ１２、ＧＰＲ１２３、ＧＰＲ１３２、ＧＰＲ１３５、ＧＰＲ１３９、ＧＰＲ１４１、ＧＰＲ１４２、ＧＰＲ１４３、ＧＰＲ１４６、ＧＰＲ１４８、ＧＰＲ１４９、ＧＰＲ１５、ＧＰＲ１５０、ＧＰＲ１５１、ＧＰＲ１５２、ＧＰＲ１５７、ＧＰＲ１６１、ＧＰＲ１６２、ＧＰＲ１７、ＧＰＲ１７１、ＧＰＲ１７３、ＧＰＲ１７６、ＧＰＲ１８、ＧＰＲ１８２、ＧＰＲ２０、ＧＰＲ２２、ＧＰＲ２５、ＧＰＲ２６、ＧＰＲ２７、ＧＰＲ３、ＧＰＲ３１、ＧＰＲ３２、ＧＰＲ３５、ＧＰＲ３７Ｌ１、ＧＰＲ３９、ＧＰＲ４、ＧＰＲ４５、ＧＰＲ５０、ＧＰＲ５２、ＧＰＲ５５、ＧＰＲ６、ＧＰＲ６１、ＧＰＲ６５、ＧＰＲ７５、ＧＰＲ７８、ＧＰＲ８３、ＧＰＲ８４、ＧＰＲ８５、ＧＰＲ８８、ＧＰＲ９７、ＴＭ７ＳＦ１）、代謝型グルタミン酸受容体ファミリー、ガストリン放出ペプチド受容体（ＢＢ２）、オレキシン受容体ファミリー、ヒスタミン受容体ファミリー、５−ヒドロキシトリプタミン受容体ファミリー、ＫＩＳＳ１由来ペプチド受容体（キスペプチン）、ロイシンリッチリピート含有Ｇタンパク質結合受容体ファミリー、黄体形成ホルモン／絨毛性ゴナドトロピン受容体（ＬＨ）、ロイコトリエンＢ４受容体（ＢＬＴ１）、アデニル酸シクラーゼ活性化ポリペプチド１受容体１（ｍＰＡＣ１）、モチリン受容体、メラノコルチン受容体ファミリー、メラニン凝集ホルモン受容体１（ＭＣＨ１）、神経ペプチドＹ１受容体（Ｙ１）、神経ペプチドＹ２受容体（ＮＰＹ２Ｒ）、オピオイド受容体ファミリー、オキシトシン受容体（ＯＴ）、Ｐ２Ｙプリン受容体１２（ｍＰ２Ｙ１２）、Ｐ２Ｙプリン受容体６（Ｐ２Ｙ６）、膵臓ポリペプチド受容体ファミリー、血小板活性化因子受容体ファミリー、プロスタグランジンＥ受容体ファミリー、プロスタノイドＩＰ１受容体（ＩＰ１）、ＭＡＳ関連ＧＰＲメンバーファミリー、ロドプシン（ロドプシン）、リラキシンファミリーペプチド受容体ファミリー、ソマトスタチン受容体ファミリー、タキキニン受容体ファミリー、メラトニン受容体ファミリー、ウロテンシン受容体ファミリー、血管作動性腸管ペプチド受容体１（ｍＶＰＡＣ１）、ニューロメジンＢ受容体（ＢＢ１）、ニューロメジンＵ受容体１（ＮＭＵ１）、神経ペプチドＢ／Ｗ受容体ファミリー、神経ペプチドＦＦ受容体１（ＮＰＦＦ１）、神経ペプチドＳ受容体１（ＮＰＳ受容体）、神経ペプチドＹ受容体ファミリー、ニュ��ロテンシン受容体１（ＮＴＳ１）、オプシン５（ＯＰＮ５）、オピオイド受容体様受容体（ＮＯＰ）、オキソエイコサノイド（ＯＸＥ）受容体１（ＯＸＥ）、オキソグルタル酸（α−ケトグルタル酸）受容体１（ＯＸＧＲ１）、プリン作動性受容体ファミリー、ピリミジン作動性受容体ファミリー、プロラクチン放出ホルモン受容体（ＰＲＲＰ）、プロキネチシン受容体ファミリー、血小板活性化受容体（ＰＡＦ）、プロスタグランジンＦ受容体ファミリー、プロスタグランジンＩ２（プロスタサイクリン）受容体ファミリー、副甲状腺ホルモン受容体ファミリー、ムスカリン４（ｒＭ４）、プロスタノイドＤＰ２受容体（ｒＧＰＲ４４）、プロキネチシン受容体ファミリー、リラキシンファミリーペプチド受容体ファミリー、セクレチン受容体（セクレチン）、スムーズンド、Ｆｒｉｚｚｌｅｄクラス受容体（スムーズンド）、トレースアミン関連受容体ファミリー、タキキニンファミリー、トロンボキサンＡ２受容体（ＴＰ）、サイロトロピン放出ホルモン受容体（ＴＲＨ１）、甲状腺刺激ホルモン受容体（ＴＳＨ）。
【００６８】
タンパク質キナーゼの例としては、これらに限定されないが、ＡＰ２関連キナーゼ、ヒトＡＢＬ癌原遺伝子１非受容体チロシンタンパク質キナーゼファミリー、ｃ−ａｂｌ癌遺伝子１受容体チロシンキナーゼファミリー、ｖ−ａｂｌアベルソンマウス白血病ウイルス癌遺伝子相同体２、アクチビンＡ受容体ファミリー、ｂｃ１錯体相同体シャペロン−ＡＢＣ１活性（Ｓ．ｐｏｍｂｅ）（ＡＤＣＫ３）、ａａｒＦドメイン含有キナーゼ４（ＡＤＣＫ４）、ｖ−ａｋｔマウス胸腺腫ウイルス癌遺伝子相同体ファミリー、未分化リンパ腫受容体チロシンキナーゼファミリー、タンパク質キナーゼＡファミリー、タンパク質キナーゼＢファミリー、アンキリンリピート及びキナーゼドメイン含有１（ＡＮＫＫ１）ＮＵＡＫファミリー−ＳＮＦ１様キナーゼ、マイトジェン活性化タンパク質キナーゼキナーゼキナーゼファミリーオーロラキナーゼＡ（ＡＵＲＫＡ）、オーロラキナーゼＢ（ＡＵＲＫＢ）、オーロラキナーゼＣ（ＡＵＲＫＣ）、ＡＸＬ受容体チロシンキナーゼ（ＡＸＬ）、ＢＭＰ２誘導性キナーゼ（ＢＩＫＥ）、Ｂリンパ球チロシンキナーゼ（ＢＬＫ）、骨形成タンパク質受容体ファミリー、ＢＭＸ非受容体チロシンキナーゼ（ＢＭＸ）、ｖ−ｒａｆマウス肉腫ウイルス癌遺伝子相同体Ｂ１（ＢＲＡＦ）、タンパク質チロシンキナーゼ６（ＢＲＫ）、ＢＲセリン／トレオニンキナーゼファミリー、Ｂｒｕｔｏｎ無ガンマグロブリン血症チロシンキナーゼ（ＢＴＫ）、カルシウム／カルモジュリン依存タンパク質キナーゼファミリー、サイクリン依存キナーゼファミリー、サイクリン依存キナーゼ様ファミリー、ＣＨＫ１チェックポイント相同体（Ｓ．ｐｏｍｂｅ）（ＣＨＥＫ１）、ＣＨＫ２チェックポイント相同体（Ｓ．ｐｏｍｂｅ）（ＣＨＥＫ２）、インスリン受容体アイソフォームＡ（ＩＮＳＲ）、インスリン受容体アイソフォームＢ（ＩＮＳＲ）、ｒｈｏ−相互作用セリン／トレオニンキナーゼ（ＣＩＴ）、ｖ−キットＨａｒｄｙ−Ｚｕｃｋｅｒｍａｎ４ネコ肉腫ウイルス癌遺伝子相同体（ＫＩＴ）、ＣＤＣ様キナーゼファミリー肝細胞成長因子受容体（ＭＥＴ）、癌原遺伝子チロシン−タンパク質キナーゼ受容体、コロニー刺激因子ファミリー受容体、ｃ−ｓｒｃチロシンキナーゼ（ＣＳＫ）、カゼインキナーゼファミリー、巨核球関連チロシンキナーゼ（ＣＴＫ）、死亡関連タンパク質キナーゼファミリー、ダブルコルチン様キナーゼファミリー、ジスコイジンドメイン受容体チロシンキナーゼ、筋緊張性ジストロフィータンパク質キナーゼ（ＤＭＰＫ）、二重特異性チロシン−（Ｙ）−リン酸化調節キナーゼファミリー、上皮成長因子受容体ファミリー、真核生物翻訳開始因子２−αキナーゼ１（ＥＩＦ２ＡＫ１）、ＥＰＨ受容体ファミリー、エフリン型Ａ受容体ファミリー、エフリン型Ｂ受容体ファミリー、ｖ−ｅｒｂ−ｂ２赤芽球性白血病ウイルス癌遺伝子相同体ファミリー、マイトジェン活性化タンパク質キナーゼファミリー、小胞体−核シグナル伝達１（ＥＲＮ１）、ＰＴＫ２タンパク質チロシンキナーゼ２（ＦＡＫ）、ｆｅｒ（ｆｐｓ／ｆｅｓ関連）チロシンキナーゼ（ＦＥＲ）、ネコ肉腫癌遺伝子（ＦＥＳ）、線維芽細胞成長因子受容体ファミリー、Ｇａｒｄｎｅｒ−Ｒａｓｈｅｅｄネコ肉腫ウイルス（ｖ���ｆｇｒ）癌遺伝子相同体（ＦＧＲ）、ｆｍｓ関連チロシンキナーゼファミリー、Ｆｍｓ関連チロシンキナーゼファミリー、ｆｙｎ関連キナーゼ（ＦＲＫ）、ＳＲＣ関連ＦＹＮ癌遺伝子、サイクリンＧ関連キナーゼ（ＧＡＫ）、真核生物翻訳開始因子２αキナーゼ、成長ホルモン受容体、Ｇタンパク質結合受容体キナーゼ１（ＧＲＫ１）、Ｇタンパク質結合受容体キナーゼファミリー、グリコーゲンシンターゼキナーゼファミリー、生殖細胞関連２（ｈａｓｐｉｎ）（ＨＡＳＰＩＮ）、造血細胞キナーゼ（ＨＣＫ）、ホメオドメイン相互作用タンパク質キナーゼファミリー、マイトジェン活性化タンパク質キナーゼキナーゼキナーゼキナーゼファミリー、ホルモン情報調節Ｎｅｕ関連キナーゼ（ＨＵＮＫ）、腸細胞（ＭＡＫ様）キナーゼ（ＩＣＫ）、インスリン様成長因子１受容体（ＩＧＦ１Ｒ）、保存ヘリックス−ループ−ヘリックスユビキタスキナーゼ（ＩＫＫ−α）、Ｂ細胞キナーゼβファミリーのκ軽鎖ポリペプチド遺伝子転写促進因子阻害因子、インスリン受容体（ＩＮＳＲ）、インスリン受容体関連受容体（ＩＮＳＲＲ）、インターロイキン−１受容体関連キナーゼファミリー、ＩＬ２誘導性Ｔ−細胞キナーゼ（ＩＴＫ）、Ｊａｎｕｓキナーゼファミリー，キナーゼ挿入ドメイン受容体、ｖ−キットＨａｒｄｙ−Ｚｕｃｋｅｒｍａｎ４ネコ肉腫ウイルス癌遺伝子相同体、リンパ球特異性タンパク質チロシンキナーゼ（ＬＣＫ）、ＬＩＭドメインキナーゼファミリー、セリン／トレオニンキナーゼファミリー、ロイシンリッチリピートキナーゼファミリー、ｖ−ｙｅｓ−１ヤマグチ肉腫ウイルス関連癌遺伝子相同体（ＬＹＮ）、オス生殖細胞関連キナーゼ（ＭＡＫ）、ＭＡＰ／微小管親和性調節キナーゼファミリー、微小管関連セリン／トレオニンキナーゼファミリー、母系胚性ロイシンジッパーキナーゼ、ｃ−ｍｅｒ癌原遺伝子チロシンキナーゼ（ＭＥＲＴＫ）、ｍｅｔ癌原遺伝子（肝細胞成長因子受容体）、ＭＡＰキナーゼ相互作用セリン／トレオニンキナーゼファミリー、ミオシン軽鎖キナーゼファミリー、混合系統キナーゼドメイン様タンパク質アイソフォーム、ＣＤＣ４２結合タンパク質キナーゼファミリー、セリン／トレオニンキナーゼファミリー、マクロファージ刺激１受容体（ｃ−ｍｅｔ関連チロシンキナーゼ）（ＭＳＴ１Ｒ）、ラパマイシン（セリン／トレオニンキナーゼ）機械的標的（ＭＴＯＲ）、筋肉−骨格受容体チロシンキナーゼ（ＭＵＳＫ）、ミオシン軽鎖キナーゼファミリー、ＮＩＭＡ（有糸分裂遺伝子ａにはない）関連キナーゼファミリー、セリン／トレオニン−タンパク質キナーゼＮＩＭ１（ＮＩＭ１）、ネモ様キナーゼ（ＮＬＫ）、酸化ストレス応答性１（ＯＳＲ１）、ｐ２１タンパク質（Ｃｄｃ４２／Ｒａｃ）活性化キナーゼファミリー、ＰＡＳドメイン含有セリン／トレオニンキナーゼ、血小板由来成長因子受容体ファミリー、３−ホスホイノシチド依存タンパク質キナーゼ−１（ＰＤＰＫ１）、カルシウム依存タンパク質キナーゼ１、ホスホリラーゼキナーゼγファミリー、ホスファチジルイノシトール４，５−ビスホスファート３キナーゼ、ホスホイノシチド−３キナーゼファミリー、ホスファチジルイノシトール４キナーゼファミリー、ホスホイノシチドキナーゼ、ＦＹＶＥフィンガー含有、Ｐｉｍ−１癌遺伝子（ＰＩＭ１）、ｐｉｍ−２癌遺伝子（ＰＩＭ２）、ｐｉｍ−３癌遺伝子（ＰＩＭ３）、ホスファチジルイノシトール−４−ホスファート５キナーゼファミリー、ホスファチジルイノシトール−５−ホスファート４キナーゼファミリータンパク質キナーゼ、膜関連チロシン／トレオニン１（ＰＫＭＹＴ１）、タンパク質キナーゼＮファミリー、ポロ様キナーゼファミリー、タンパク質キナーゼＣファミリー、タンパク質キナーゼＤファミリー、ｃＧＭＰ依存タンパク質キナーゼファミリー、真核生物翻訳開始因子２−αキナーゼ２（ＰＲＫＲ）、Ｘ結合タンパク質キナーゼ（ＰＲＫＸ）、プロラクチン受容体（ＰＲＬＲ）、ＰＲＰ４・ｍＲＮＡ前駆体処理因子４相同体Ｂ（酵母菌）（ＰＲＰ４）、ＰＴＫ２Ｂタンパク質チロシンキナーゼ２β（ＰＴＫ２Ｂ）、ＳＩＫファミリーキナーゼ３（ＱＳＫ）、ｖ−ｒａｆ−１マウス白血病ウイルス癌遺伝子相同体１（ＲＡＦ１）、神経栄養チロシンキナーゼ受容体型ファミリー、受容体（ＴＮＦＲＳＦ）相互作用セリン−トレオニンキナーゼファミリー、二重セリン／トレオニン及びチロシンタンパク質キナーゼ（ＲＩＰＫ５）、Ｒｈｏ関連コイルドコイル含有タンパク質キナーゼファミリー、ｃ−ｒｏｓ癌遺伝子１受容体チロシンキナーゼ（ＲＯＳ１）、リボソームタンパク質Ｓ６キナーゼファミリー、ＳＨ３結合ドメインキナーゼ１（ＳＢＫ１）、血清／グルココルチコイド調節キナーゼファミリー、性質不明で推定のセリン/トレオニンタンパク質キナーゼ（Sugenキナーゼ１１０）（SｇＫ１１０）、塩誘導性キナーゼファミリー、ＳＮＦ関連キナーゼ（ＳＮＲＫ）、ｓｒｃ関連キナーゼ、ＳＦＲＳタンパク質キナーゼファミリー、脾臓チロシンキナーゼ（ＳＹＫ）、ＴＡＯキナーゼファミリー、ＴＡＮＫ結合キナーゼ１（ＴＢＫ１）、ｔｅｃタンパク質チロシンキナーゼ（ＴＥＣ）、睾丸特異性キナーゼ１（ＴＥＳＫ１）、形質転換成長因子、β受容体ファミリー、免疫グロブリン様及びＥＧＦ様ドメイン１を有するチロシンキナーゼ（ＴＩＥ１）、ＴＥＫチロシンキナーゼ、内皮（ＴＩＥ２）、アンジオポイエチン−１受容体（Ｔｉｅ２）、ｔｏｕｓｌｅｄ様キナーゼファミリー、ＴＲＡＦ２及びＮＣＫ相互作用キナーゼ（ＴＮＩＫ），非受容体チロシンキナーゼファミリー、ＴＮＮＩ３相互作用キナーゼ（ＴＮＮＩ３Ｋ）、過渡受容体電位陽イオンチャネル、睾丸特異性セリンキナーゼファミリー、ＴＴＫタンパク質キナーゼ（ＴＴＫ）、ＴＸＫチロシンキナーゼ（ＴＸＫ）、チロシンキナーゼ２（ＴＹＫ２）、ＴＹＲＯ３タンパク質チロシンキナーゼ（ＴＹＲＯ３）、ｕｎｃ−５１様キナーゼファミリー、ホスファチジルイノシトール３−キナーゼ、ワクチニア関連キナーゼ２（ＶＲＫ２）、ＷＥＥ１相同体ファミリー、ＷＮＫリシン欠損タンパク質キナーゼファミリー、ｖ−ｙｅｓ−１ヤマグチ肉腫ウイルス癌遺伝子相同体１（ＹＥＳ）、殺菌αモチーフ及びロイシンジッパー含有キナーゼＡＺＫ（ＺＡＫ）、ζ鎖（ＴＣＲ）関連タンパク質キナーゼ７０ｋＤａ（ＺＡＰ７０）。
【００６９】
核ホルモン受容体としては、これらに限定されないが、以下のものが挙げられる。アンドロゲン受容体（ＡＲ）、エストロゲン関連受容体α（ＥＳＲＲＡ）、エストロゲン受容体１（ＥＳＲ１）、核受容体サブファミリー１グループＨメンバー４（ＮＲ１Ｈ４）、核受容体サブファミリー３グループＣメンバー１（グルココルチコイド受容体）（ＮＲ３Ｃ１）、核受容体サブファミリー１グループＨメンバー３（肝臓Ｘ受容体α）（ＮＲ１Ｈ３）、核受容体サブファミリー１グループＨメンバー２（肝臓Ｘ受容体β）（ＮＲ１Ｈ２）、核受容体サブファミリー１グループＨメンバー２（肝臓Ｘ受容体β）（ＮＲ１Ｈ２）、核受容体サブファミリー３グループＣメンバー２（電解質コルチコイド受容体）（ＮＲ３Ｃ２）、ペルオキシソーム増殖因子活性化受容体α（ＰＰＡＲＡ）、ペルオキシソーム増殖因子活性化受容体γ（ＰＰＡＲＧ）、ペルオキシソーム増殖因子活性化受容体δ（ＰＰＡＲＤ）、プロゲステロン受容体α（ＰＧＲ）、プロゲステロン受容体β（ＰＧＲ）、レチノイン酸受容体α（ＲＡＲＡ）、レチノイン酸受容体−β（ＲＡＲＢ）、レチノイドＸ受容体α（ＲＸＲＡ）、レチノイドＸ受容体γ（ＲＸＲＧ）、甲状腺ホルモン受容体α（ＴＨＲＡ）、甲状腺ホルモン受容体β（ＴＨＲＢ）、レチノイン酸関連オーファン受容体、肝臓Ｘ受容体、ファルネソイドＸ受容体、ビタミンＤ受容体、プレグナンＸ受容体、構成的アンドロスタン受容体、肝細胞核因子４、エストロゲン受容体、エストロゲン関連受容体、糖質コルチコイド受容体、神経成長因子誘導遺伝子Ｂ、生殖細胞核因子。エピジェネティック標的としては、これらに限定されないが、以下のものが挙げられる。ＡＴＰａｓｅファミリーＡＡＡドメイン含有タンパク質２（ＡＴＡＤ２Ａ）、ＡＴＰａｓｅファミリーＡＡＡドメイン含有２Ｂ（ＡＴＡＤ２Ｂ）、ＡＴＰａｓｅファミリーＡＡＡドメイン含有２Ｂ（ＡＴＡＤ２Ｂ）、ジンクフィンガードメイン１Ａ隣接ブロモドメイン（ＢＡＺ１Ａ）、ジンクフィンガードメイン１Ｂ隣接ブロモドメイン（ＢＡＺ１Ｂ）、ジンクフィンガードメイン２Ａブロモドメイン（ＢＡＺ２Ａ）、ジンクフィンガードメイン２Ａ隣接ブロモドメイン（ＢＡＺ２Ａ）、ジンクフィンガードメイン２Ｂ隣接ブロモドメイン（ＢＡＺ２Ｂ）、ブロモドメイン含有タンパク質１（ＢＲＤ１）、ブロモドメイン含有タンパク質２第一ブロモドメイン（ＢＲＤ２）、ブロモドメイン含有タンパク質２第一及び第二ブロモドメイン（ＢＲＤ２）、ブロモドメイン含有タンパク質２アイソフォーム１ブロモドメイン２（ＢＲＤ２（２））、ブロモドメイン含有タンパク質３ブロモドメイン１（ＢＲＤ３（１））、ブロモドメイン含有タンパク質３第一ブロモドメイン（ＢＲＤ３）、ブロモドメイン含有タンパク質３第一及び第二ブロモドメイン（ＢＲＤ３）、ブロモドメイン含有タンパク質３ブロモドメイン２（ＢＲＤ３（２））、ブロモドメイン含有タンパク質４第一ブロモドメイン（ＢＲＤ４）、ブロモドメイン含有タンパク質４アイソフォームｌｏｎｇ型ブロモドメイン１及び２（ＢＲＤ４（１−２））、ブロモドメイン含有タンパク質４アイソフォームｌｏｎｇ型ブロモドメイン２（ＢＲＤ４（２））、ブロモドメイン含有タンパク質４アイソフォームｓｈｏｒｔ型（ＢＲＤ４（全長−ｓｈｏｒｔ型アイソフォーム））、ブロモドメイン含有タンパク質７（ＢＲＤ７）、ブロモドメイン含有８ブロモドメイン１（ＢＲＤ８（１））、ブロモドメイン含有８ブロモドメイン２（ＢＲＤ８（２））、ブロモドメイン含有タンパク質９アイソフォーム１（ＢＲＤ９）、ブロモドメイン含有睾丸特異性第一ブロモドメイン（ＢＲＤＴ）、ブロモドメイン含有睾丸特異性第一及び第二ブロモドメイン（ＢＲＤＴ）、ブロモドメイン睾丸特異性タンパク質アイソフォームｂブロモドメイン２（ＢＲＤＴ（２））、ブロモドメイン及びＰＨＤフィンガー含有１（ＢＲＰＦ１）、ブロモドメイン及びＰＨＤフィンガー含有３（ＢＲＰＦ３）、ブロモドメイン及びＰＨＤフィンガー含有３（ＢＲＰＦ３）、ブロモドメイン及びＷＤリピート含有３第２ブロモドメイン（ＢＲＷＤ３（２））、猫眼症候群重要領域 タンパク質２（ＣＥＣＲ２）、ＣＲＥＢ結合タンパク質（ＣＲＥＢＢＰ）、Ｅ１Ａ結合タンパク質ｐ３００（ＥＰ３００）、ＥＰ３００（ＥＰ３００）、ヌクレオソームリモデリング因子サブユニットＢＰＴＦアイソフォーム１（ＦＡＬＺ）、ヌクレオソームリモデリング因子サブユニットＢＰＴ（ＦＡＬＺ）、真性染色質ヒストンリシンＮ−メチルトランスフェラーゼ２（ＥＨＭＴ２）、ヒストンアセチルトランスフェラーゼＫＡＴ２Ａ（ＧＣＮ５Ｌ２）、真性染色質ヒストンリシンＮ−メチルトランスフェラーゼ１（ＥＨＭＴ１）、ヒストンリシンＮ−メチルトランスフェラーゼＭＬＬ（ＭＬＬ）、ポリブロモ１第一ブロモドメイン（ＰＢ１（１））、ポリブロモ１第二ブロモドメイン（ＰＢ１（２））、ポリブロモ１ブロモドメイン２（ＰＢＲＭ１（２））、ポリブロモ１ブロモドメイン５（ＰＢＲＭ１（５））、ヒストンアセチルトランスフェラーゼＫＡＴ２Ｂ（ＰＣＡＦ）、ＰＨ相互作用タンパク質第一ブロモドメイン（ＰＨＩＰ（１））、ＰＨ相互作用タンパク質第二ブロモドメイン（ＰＨＩＰ（２））、タンパク質キナーゼＣ結合タンパク質１（ＰＲＫＣＢＰ１）、タンパク質アルギニンＮ−メチルトランスフェラーゼ３（ＰＲＭＴ３）、クロマチンサブファミリーａメンバー２のＳＷＩ／ＳＮＦ関連マトリックス関連アクチン依存調節因子（ＳＭＡＲＣＡ２）、クロマチンサブファミリーａメンバー４のＳＷＩ／ＳＮＦ関連マトリックス関連アクチン依存調節因子（ＳＭＡＲＣＡ４）、核内構造体タンパク質ＳＰ１１０（ＳＰ１１０）、核内構造体タンパク質ＳＰ１４０（ＳＰ１４０）、転写開始因子ＴＦＩＩＤサブユニット１（ＴＡＦ１（１−２））、ＴＡＦ１・ＲＮＡポリメラーゼＩＩ−ＴＡＴＡボックス結合タンパク質（ＴＢＰ）関連因子−２５０ｋＤａ−ブロモドメイン２（ＴＡＦ１（２））、転写開始因子ＴＦＩＩＤサブユニット１様第一ブロモドメイン（ＴＡＦ１Ｌ（１））、転写開始因子ＴＦＩＩＤサブユニット１様−第二ブロモドメイン（ＴＡＦ１Ｌ（２））、三要素モチーフ含有２４（ＴＲＩＭ２４（ブロモ））、三要素モチーフ含有２４（ＴＲＩＭ２４（ＰＨＤブロモ））、Ｅ３ユビキチンタンパク質リガーゼＴＲＩＭ３３（ＴＲＩＭ３３）、三要素モチーフ含有３３（ＴＲＩＭ３３（ＰＨＤ−ブロモ））、ＷＤリピート９第一ブロモドメイン（��ＤＲ９（１））、ＷＤリピート９第二ブロモドメイン（ＷＤＲ９（２））。膜輸送タンパク質としては、これらに限定されないが、以下のものが挙げられる：ＡＴＰ結合カセット（ＡＢＣ）スーパーファミリー、溶質輸送体（ＳＬＣ）スーパーファミリー、多剤耐性タンパク質１（Ｐ−グリコタンパク質）、有機陰イオン輸送体１、及びタンパク質、例えば、ＥＡＡＴ３、ＥＡＡＣ１、ＥＡＡＴ１、ＧＬＵＴ１、ＧＬＵＴ２、ＧＬＵＴ９、ＧＬＵＴ１０、ｒＢＡＴ、ＡＥ１、ＮＢＣ１、ＫＮＢＣ、ＣＨＥＤ２、ＢＴＲ１、ＮＡＢＣ１、ＣＤＰＤ、ＳＧＬＴ１、ＳＧＬＴ２、ＮＩＳ、ＣＨＴ１、ＮＥＴ、ＤＡＴ、ＧＬＹＴ２、ＣＲＴＲ、Ｂ０ＡＴ１、ＳＩＴ１、ＸＴ３、ｙ＋ＬＡＴ１、ＢＡＴ１、ＮＨＥＲＦ１、ＮＨＥ６、ＡＳＢＴ、ＤＭＴ１、ＤＣＴ１、ＮＲＡＭＰ２、ＮＫＣＣ２、ＮＣＣ、ＫＣＣ３、ＮＡＣＴ、ＭＣＴ１、ＭＣＴ８、ＭＣＴ１２、ＳＬＤ、ＶＧＬＵＴ３、ＴＨＴＲ１、ＴＨＴＲ２、ＰＩＴ２、ＧＬＶＲ２、ＯＣＴＮ２、ＵＲＡＴ１、ＮＣＫＸ１、ＮＣＫＸ５、ＣＩＣ、ＰｉＣ、ＡＮＴ１、ＯＲＮＴ１、ＡＧＣ１、ＡＲＡＬＡＲ、Ｃｉｔｒｉｎ、ＳＴＬＮ２、ａｒａｌａｒ２、ＴＰＣ、ＭＵＰ１、ＭＣＰＨＡ、ＣＡＣＴ、ＧＣ１、ＰＨＣ、ＤＴＤ、ＣＬＤ、ＤＲＡ、ＰＤＳ、Ｐｒｅｓｔｉｎ、ＴＡＴ１、ＦＡＴＰ４、ＥＮＴ３、ＺｎＴ２、ＺｎＴ１０、ＡＴ１、ＮＰＴ２Ａ、ＮＰＴ２Ｂ、ＨＨＲＨ、ＣＳＴ、ＣＤＧ２Ｆ、ＵＧＡＴ、ＵＧＴＬ、ＵＧＡＬＴ、ＵＧＴ１、ＵＧＴ２、ＦＵＣＴ１、ＣＤＧ２Ｃ、ＮＳＴ、ＰＡＴ２、Ｇ６ＰＴ１、ＳＰＸ４、ＺＩＰ４、ＬＩＶ４、ＺＩＰ１３、ＬＺＴ−Ｈｓ９、ＦＰＮ１、ＭＴＰ１、ＩＲＥＧ１、ＲＨＡＧ、ＡＩＭ１、ＰＣＦＴ、ＦＬＶＣＲ１、ＦＬＶＣＲ２、ＲＦＴ１、ＲＦＴ２、ＲＦＴ３、ＯＡＴＰ１Ｂ１、ＯＡＴＰ１Ｂ３、ＯＡＴＰ２Ａ１。構造タンパク質としては、これらに限定されないが、熱ショックタンパク質、微小管安定化タンパク質、癌タンパク質１８、スタスミン、キネシン８及びキネシン１４ファミリー、Ｋｉｐ３、Ｋｉｆ１８Ａが挙げられる。プロテアーゼとしては、これらに限定されないが、ＡＤＡＭ（ジスインテグリン及び金属プロテアーゼ）ファミリーが挙げられる。シグナル伝達の他の分子標的としては、これらに限定されないが、細胞分裂周期遺伝子２５相同体Ａ（ＣＤＣ２５Ａ）、フォークヘッドボックスタンパク質Ｏ３（フォークヘッドボックスタンパク質Ｏ３）、Ｂ細胞阻害因子のκ軽鎖ポリペプチド遺伝子転写促進因子の核因子、α（ＮＦＫＢＩＡ）、核因子（赤血球由来２）様２（ＮＦＥ２Ｌ２）、ナトリウム排泄増加ペプチド受容体Ａ（ＮＰＲ１）、腫瘍壊死因子受容体スーパーファミリー、メンバー１１ａ（ＴＮＦＲＳＦ１１Ａ）、ｖ−ｒｅｌ細網内皮症ウイルス癌遺伝子相同体Ａ（鳥類）（ＲＥＬＡ）、ステロール調節因子元素結合転写因子２（ＳＲＥＢＦ２）、ＣＲＥＢ調節転写共活性因子１（ＣＲＴＣ１）、ＣＲＥＢ調節転写共活性因子２（ＣＲＴＣ２）、Ｘボックス結合タンパク質１（ＸＢＰ１）、カテニン（カドヘリン関連タンパク質），β１（ＣＴＮＮＢ１）、及びこれらの組み合わせ。
【００７０】
周知の生物製剤としては、これらに限定されないが、以下のものが挙げられる。アブボシナギス(Abbosynagis)、アベグリン(Abegrin)、アクテムラ(Actemra)、タカツズマブ(AFP-Cide)、アントバ(Antova)、アルゼッラ(Arzerra)、Aurexis、アバスチン(Avastin)、ベリブマブ(Benlysta)、ベキサール(Bexxar)、Blontress、メポリズマブ(Bosatria)、アレムツズマブ(Campath)、ラベツズマブ(CEA-Cide)、CEA-Scan、シムジア(Cimzia)、サイラムザ(Cyramza)、Ektomab、セツキシマブ(Erbitux)、ビシロマブ(FibriScint)、オビヌツズマブ(Gazyva)、ハーセプチン、クリバツズマブテトラキセタン(hPAM4-Cide)、ボツムマブ(HumaSPECT)、ザノリムマブ(HuMax-CD4)、ザルツムマブ(HuMax-EGFr)、アダリムマブ(Humira)、フォントリズマブ(HuZAF)、ペンテト酸アルツモマブ(Hybri-ceaker)、カナキヌマブ(Ilaris)、イゴボマブ(Indimacis-125)、カドサイラ、アレムツズマブ(Lemtrada)、ルークアレスト(LeukArrest)、スレソマブ(LeukoScan)、ラニビズマブ(Lucentis)、Lymphomun、リンフォスキャン(LymphoScan)、ベリムマブ(LymphoStat-B)、リツキシマブ(MabThera)、エフングマブ(Mycograb)、ゲムツズマブオゾガマイシン(Mylotarg)、イムシロマブ(Myoscint)、テクネチウムファノレソマブ(NeutroSpec)、モタビズマブ(Numax)、ヌヴィオン(Nuvion)、ペルツズマブ(Omnitarg)、オプジーボ(Opdivo)、ムロモナブ‐CD3(Orthoclone OKT3)、OvaRex、Panorex、デノスマブ(Prolia)、カプロマブペンデチド(Prostascint)、エファリズマブ(Raptiva)，インフリキシマブ(Remicade)、カツマキソマブ(Removab)、Rencarex、アブシキシマブ(ReoPro)、エルツマキソマブ(Rexomun)、リツキシマブ(Rituxan)、トシリズマブ(RoActemra)、99mTc‐ベシレソマブ(Scintimun)、ゴリムマブ(Simponi)、バシリキシマブ(Simulect)、エクリズマブ(Soliris)、ウステキヌマブ(Stelara)、パリビズマブ(Synagis)、Tactress、ニモツズマブ(Theracim)、ペムツモマブ(Theragyn)、ニモツズマブ(Theraloc)、ナタリズマブ(Tysabri)、パニツムマブ(Vectibix)、ノフェツモマブ(Verluma)、オマリズマブ(Xolair)、イピリムマブ(Yervoy)、ダクリズマブ(Zenapax)、及びイブリツモマブ チウキセタン(Zevalin)、又は組み合わせ。
【００７１】
周知のモノクロナール抗体としてはこれらに限定されないが、以下のものが挙げられる。３Ｆ８、８Ｈ９、アバゴボマブ、アブシキマブ、アビツズマブ、アブリルマブ、アクトクスマブ、アダリムマブ、アデカツムマブ、アデュカヌマブ、アファセビクマブ、アフェリモマブ、アフツズマブ、アラシズマブペゴル、ＡＬＤ５１８、ＡＬＤ４０３、アレムツズマブ、アリロクマブ、アルツモマブペンテテート、アマツキシマブ、ＡＭＧ３３４、アナツモマブマフェナトクス、アネツマブラブタンシン、アニフロムマブ、アンルキンズマブ、アポリズマブ、アルシツモマブ、アスクリンバクマブ、アセリズマブ、アテゾリズマブ、アチヌマブ、アトリズマブ、アトロリムマブ、アベルマブ、バピニュウズマブ、バシリキシマブ、バビツキシマブ、ベクツモマブ、ベゲロマブ、ベリムマブ、ベンラリズマブ、ベルチリムマブ、ベシレソマブ、ベバシズマブ、ベズロトクスマブ、ビシロマブ、ビマグルマブ、ビメキズマブ、ビバツヅマブメルタンシン、ブレセルマブ、ブリナツモマブ、ブロンツベトマブ、ブロソズマブ、ボコシズマブ、ブラジクマブ、ブレンツキシマブベドチン、ブリアキヌマブ、ブロダルマブ、ブロルシズマブ、ブロンチクツズマブ、ブロスマブ、カビラリズマブ、カナキヌマブ、カンツズマブメルタンシン、カンツズマブ  ラブタンシン、カプラシズマブ、カプロマブペンデチド、カルルマブ、カロツキシマブ、カツマキソマブ、ｃＢＲ９６−ドキソルビシン免疫複合体、セデリズマブ、セルグツズマブアムナロイキン、セルトリズマブペゴル、セツキシマブ、シタツズマブボガトクス、シクスツムマブ、クラザキズマブ、クレノリキシマブ、クリバツズマブテトラキセタン、コドリツズマブ、コルツキシマブラブタンシン、コナツムマブ、コンシズマブ、ＣＲ６２６１、クレネズマブ、クロテデュマブ（Crotedumab）、ダセツズマブ、ダクリズマブ、ダロツズマブ、ダピロリズマブペゴル、ダラツムマブ、デクトレクマブ、デムシズマブ、デニンツズマブマホドチン、デノスマブ、デパツキシズマブマホドチン、デルロツキシマブビオチン、デツモマブ、ジヌツキシマブ、ジリダブマブ、ドマグロズマブ、ドルリモマブアリトクス、ドロジツマブ、デュリゴツマブ、デュピルマブ、デュルバルマブ、ドゥシギツマブ、エクロメキシマブ、エクリズマブ、エドバコマブ、エドレコロマブ、エファリズマブ、エファングマブ、エルデルマブ、エルゲムツマブ、エロツズマブ、エルシリモマブ、エマクツズマブ、エミベツズマブ、エミシズマブ、エナバツズマブ、エンフォルツマブベドチン、エンリモマブペゴル、エノブリツズマブ、エノキズマブ、エノチクマブ、エンシツキシマブ、エピツモマブシツキセタン、エプラツズマブ、エレヌマブ、エルリズマブ、エルツマキソマブ、エタラシズマブ、エトロリズマブ、エビナクマブ、エボロクマブ、エキスビビルマブ、ファノレソマブ、ファラリモマブ、ファレツズマブ、ファシヌマブ、ＦＢＴＡ０５、フェルビズマブ、フェザキヌマブ、フィバツズマブ、フィクラツズマブ、フィギツムマブ、フィリブマブ、フランボツマブ、フレチクマブ、フォントリズマブ、フォラルマブ、フォラビルマブ、フレソリムマブ、フルラヌマブ、フツキシマブ、ガルカネズマブ、ガリキシマブ、ガニツマブ、ガンテネルマブ、ガビリモマブ、ゲムツズマブオゾガマイシン、ゲボキズマブ、ギレンツキシマブ、グレンバツムマブベドチン、ゴリムマブ、ゴミリキシマブ、グセルクマブ、イバリズマブ、イブリツモマブチウキセタン、イクルクマブ、イダルシズマブ、イゴボマブ、ＩＭＡ−６３８、ＩＭＡＢ３６２、イマルマブ、イミシロマブ、イムガツズマブ、インクラクマブ、インダツキシマブラブタンシン、インデュサツマブベドチン、イネビリズマブ、インフリキシマブ、イノリモマブ、イノツズマブオゾガマイシン、インテツムマブ、イピリムマブ、イラツムマブ、イサツキシマブ、イトリズマブ、イキセキズマブ、ケリキシマブ、ラベツズマブ、ランブロリズマブ、ランパリズマブ、ラナデルマブ、ランドグロツマブ、ラプリツキシマブエムタンシン、ＬＢＲ−１０１／ＰＦ０４４２ｇ７４２９、レブリキズマブ、レマレソマブ、レンダリズマブ、レンジルマブ、レルデリムマブ、レクサツムマブ、リビビルマブ、リファスツズマブベドチン、リゲリズマブ、リロトマブサテトラキセタン、リンツズマブ、リリルマブ、ロデルシズマブ、ロキベトマブ、ロルボツズマブメルタンシン、ルカツムマブ、ルリズマブペゴル、ルミリキシマブ、ルムレツズマブ、ＬＹ２９５１７４２、マパツムマブ、マルジェツキシマブ、マスリモマブ、マツズマブ、マブリリムマブ、メポリズマブ、メテリムマブ、ミラツズマブ、ミンレツモマブ、ミルベツキシマブソラブタンシン、ミツモマブ、モガムリズマブ、モナリズマブ、モロリムマブ、モタビズマブ、モキセツモマブシュードトクス、ムロモナブ−ＣＤ３、ナコロマブタフェナトクス、ナミルマブ、ナプツモマブエスタフェナトクス、ナラツキシマブエムタンシン、ナルナツマブ、ナタリズマブ、ナビシキシズマブ、ナビブマブ、ネバクマブ、ネシツムマブ、ネモリズマブ、ネレリモマブ、ネスバクマブ、ニモツズマブ、ニボルマブ、ノフェツモマブメルペンタン、オビルトキサキシマブ、オビヌツズマブ、オカラツズマブ、オクレリズマブ、オデュリモマブ、オファツムマブ、オララツマブ、オロキズマブ、オマリズマブ、オナルツズマブ、オンツキシズマブ、オピシヌマブ、オポルツズマブモナトクス、オレゴボマブ、オルチクマブ、オテリキシズマブ、オトレルツズマブ、オキセルマブ、オザネズマブ、オゾラリズマブ、パジバキシマブ、パリビズマブ、パムレブルマブ、パニツムマブ、パンコマブ、パノバクマブ、パルサツズマブ、パスコリズマブ、パソツキシズマブ、パテクリズマブ、パトリツマブ、ペムブロリズマブ、ペムツモマブ、ペラキズマブ、ペルツズマブ、ペキセリズマブ、ピディリズマブ、ピナツズマブベドチン、ピンツモマブ、プラクルマブ、プロザリズマブ、ポガリズマブ、ポラツズマブベドチン、ポネズマブ、プレザリズマブ、プリリキシマブ、プリトキサキシマブ、プリツムマブ、ＰＲＯ１４０、キリズマブ、ラコツモマブ、ラドレツマブ、ラフィビルマブ、ラルパンシズマブ、ラムシルマブ、ラニビズマブ、ラキシバクマブ、レファネズマブ、レガビルマブ、レスリズマブ、リロツムマブ、リヌクマブ、リサンキズマブ、リツキシマブ、リババズマブペゴル、ロバツムマブ、ロレデュマブ、ロモソズマブ、ロンタリズマブ、ロバルピツズマブテシリン、ロベリズマブ、ルプリズマブ、サシツズマブゴビテカン、サマリズマブ、サペリズマブ、サリルマブ、サツモマブペンデチド、セクキヌマブ、セリバンツマブ、セトキサキシマブ、セヴィルマブ、ＳＧＮ−ＣＤ１９Ａ、ＳＧＮ−ＣＤ３３Ａ、シブロツズマブ、シファリムマブ、シルツキシマブ、シムツズマブ、シプリズマブ、シルクマブ、ソフィツズマブベドチン、ソラネズマブ、ソリトマブ、ソネプシズマブ、ソンツズマブ、スタムルマブ、スレソマブ、スビズマブ、タバルマブ、タカツズマブテトラキセタン、タドシズマブ、タリズマブ、タムツベツマブ、タネズマブ、タプリツモマブパプトックス、タレクスツマブ、テフィバズマブ、テリモマブアリトクス、テナツモマブ、テネリキシマブ、テプリズマブ、テプロツムマブ、テシドルマブ、テツロマブ、テゼペルマブ、ＴＧＮ１４１２、チシリムマブ、ティガツズマブ、チルドラキズマブ、チモルマブ、チソツマブベドチン、ＴＮＸ−６５０、トシリズマブ、トラリズマブ、トサトクスマブ、トシツモマブ、トベツマブ、トラロキヌマブ、トラスツズマブ、トラスツズマブエムタンシン、ＴＲＢＳ０７、トレガリズマブ、トレメリムマブ、トレボグルマブ、ツコツズマブセルモロイキン、ツビルマブ、ウブリツキシマブ、ウロクプルマブ、ウレルマブ、ウルトキサズマブ、ウステキヌマブ、ウトミルマブ、バダスツキシマブタリリン、バンドルツズマブベドチン、バンチクツマブ、バヌシズマブ、バパリキシマブ、バルリルマブ、バテリズマブ、ベドリズマブ、ベルツズマブ、ベパリモマブ、ベセンクマブ、ビシリズマブ、ボバリリズマブ、ボロシキシマブ、ボルセツズマブマホドチン、ボツムマブ、キセンツズマブ、ザルツムマブ、ザノリムマブ、ザツキシマブ、ジラリムマブ、及びゾリモマブアリトクス、又はこれらの組み合わせ。
【００７２】
ウイルス性疾患用に開発されたワクチンとしては、これらに限定されないが、以下のものが挙げられる：Ａ型肝炎ワクチン、Ｂ型肝炎ワクチン、Ｅ型肝炎ワクチン、ＨＰＶワクチン、インフルエンザワクチン、日本脳炎ワクチン、ＭＭＲワクチン、ＭＭＲＶワクチン、ポリオワクチン、狂犬病ワクチン、ロタウイルスワクチン、水痘ワクチン、帯状疱疹ワクチン、天然痘ワクチン、黄熱ワクチン、アデノウイルスワクチン、コクサッキーウイルスＢ群ワクチン、サイトメガロウイルスワクチン、ヒトデングワクチン、ヒト東部ウマ脳炎ウイルスワクチン、エボラワクチン、エンテロウイルス７１ワクチン、エプスタイン・バーワクチン、Ｃ型肝炎ワクチン、ＨＩＶワクチン、ヒトＨＴＬＶ−１  Ｔリンパ向性白血病ワクチン、マールブルグウイルス病ワクチン、ノロウイルスワクチン、ヒト呼吸器合胞体ウイルスワクチン、重症急性呼吸器症候群（ＳＡＲＳ）ワクチン、ヒト西ナイルウイルスワクチン。バクテリア性疾患用に開発されたワクチンとしては、これらに限定されないが、以下のものが挙げられる：炭疽菌ワクチン、ＤＰＴワクチン、Ｑ熱ワクチン、Ｈｉｂワクチン、結核（ＢＣＧ）ワクチン、髄膜炎菌性ワクチン、腸チフスワクチン、肺炎球菌複合体ワクチン、肺炎球菌多糖ワクチン、コレラワクチン、齲蝕ワクチン、エールリヒア症ワクチン、ハンセン病ワクチン、ライム病病気ワクチン、黄色ブドウ球菌ワクチン、化膿連鎖球菌ワクチン、梅毒ワクチン、ツラレミアワクチン、ペスト菌ワクチン・寄生虫性疾患用に開発されたワクチンとしては、これらに限定されないが、マラリアワクチン、住血吸虫症ワクチン、シャーガス病ワクチン、鉤虫ワクチン、ヒトオンコセルカ症河川盲目症、トリパノソーマ症ワクチン、内臓リーシュマニア症ワクチンが挙げられる。非伝染病としては、これらに限定されないが、アルツハイマー病アミロイドタンパク質ワクチン、乳癌ワクチン、卵巣癌ワクチン、前立腺癌ワクチン、タリモジンラヘルパレプベク（Ｔ−ＶＥＣ）が挙げられる。またワクチンとしては、これらに限定されないが、以下の商品名が挙げられる：ACAM2000、ActHIB、Adacel、Afluria、AFLURIA QUADRIVALENT、Agriflu、BCG Vaccine、BEXSERO、Biothrax、Boostrix、Cervarix、Comvax、DAPTACEL、DECAVAC、Engerix-B、FLUAD、Fluarix、Fluarix Quadrivalent、Flublok、Flucelvax、Flucelvax Quadrivalent、FluLaval、FluMist、FluMist Quadrivalent、Fluvirin、Fluzone Quadrivalent、Fluzone、Fluzone High-Dose and Fluzone Intradermal、Gardasil、Gardasil 9、Havrix、Hiberix、Imovax、Infanrix、IPOL、Ixiaro、JE-Vax、KINRIX、Menactra、MenHibrix、Menomune-A/C/Y/W-135、Menveo、M-M-R II、M-M-Vax、Pediarix、PedvaxHIB、Pentacel、Pneumovax 23、Poliovax、Prevnar、Prevnar 13、ProQuad、Quadracel、Quadrivalent、RabAvert、Recombivax HB、ROTARIX、RotaTeq、TENIVAC、TICE BCG、Tripedia、TRUMENBA、Twinrix、TYPHIM Vi、VAQTA、Varivax、Vaxchora、Vivotif、YF-Vax、Zostavax、及びこれらの組み合わせ。
【００７３】
注射可能な薬物としては、これらに限定されないが、以下のものが挙げられる：Ablavar（ガドホスベセット三ナトリウム注射液）、Abarelix Depot、ボツリヌストキシンＡ注射液（Dysport）、ABT-263、ABT-869、ABX-EFG、Accretropin（ソマトロピン注射液）、Acetadote（アセチルシステイン注射液）、アセタゾラミド注射液、アセチルシステイン注射液（Acetadote）、Actemra（トシリズマブ注射液）、Acthrel（注射用コルチコレリンオウバイントリフルタート）、Actummune、Activase、注射用Acyclovir（Zovirax注射液）、[0137]、Adacel、Adalimumab、Adenoscan（アデノシン注射液）、アデノシン注射液（Adenoscan）、Adrenaclick、AdreView（ヨーベングアン1123注射液、静脈内投与用）、Afluria、Ak-Fluor（フルオレセイン注射液）、Aldurazyme（ラロニダーゼ）、アルグルセラーゼ注射液（Ceredase）、Alkeran注射液（メルファランHcl注射液）、注射用アロプリノールナトリウム（Aloprim）、Aloprim（注射用アロプリノールナトリウム）、アルプロスタジル、Alsuma（スマトリプタン注射液）、ALTU-238、アミノ酸注射液、Aminosyn、Apidra、Apremilast、注射用アルプロスタジル二室系（Caverject Impulse）、ＡＭＧ００９、ＡＭＧ０７６、ＡＭＧ１０２、ＡＭＧ１０８、ＡＭＧ１１４、ＡＭＧ１６２、ＡＭＧ２２０、ＡＭＧ２２１、ＡＭＧ２２２、ＡＭＧ２２３、ＡＭＧ３１７、ＡＭＧ３７９、ＡＭＧ３８６、ＡＭＧ４０３、ＡＭＧ４７７、ＡＭＧ４７９、ＡＭＧ５１７、ＡＭＧ５３１、ＡＭＧ５５７、ＡＭＧ６２３、ＡＭＧ６５５、ＡＭＧ７０６、ＡＭＧ７１４、ＡＭＧ７４５、ＡＭＧ７８５、ＡＭＧ８１１、ＡＭＧ８２７、ＡＭＧ８３７、ＡＭＧ８５３、ＡＭＧ９５１、アミオダロンＨＣｌ注射液（アミオダロンＨＣｌ注射液）、アモバルビタールナトリウム注射液（Amytal Sodium）、Amytal Sodium（アモバルビタールナトリウム注射液）、アナキンラ、Anti-Abeta、Anti-Beta7、Anti-Beta20、Anti-CD4、Anti-CD20、Anti-CD40、Anti-IFNα、Anti-IL13、Anti-OX40L、Anti-oxLDS、Anti-NGF、Anti-NRP1、Arixtra、Amphadase（ヒアルロニダーゼ注射液）、Ammonul（フェニル酢酸ナトリウム及び安息香酸ナトリウムの注射液）、Anaprox、Anzemet注射液（メシル酸ドラセトロン注射液）、Apidra（インスリングルリジン［ｒＤＮＡ由来］注射液）、Apomab、Aranesp（ダルベポエチンα）、Argatroban（アルガトロバン注射液）、塩酸アルギニン注射液（R-Gene 10、Aristocort、Aristospan、亜ヒ酸注射液（Trisenox）、Articane HCl及びエピネフリン注射液（Septocaine）、Arzerra（オファツムマブ注射液）、Asclera（ポリドカノール注射液）、Ataluren、Ataluren-DMD、アテノロール注射液（Tenormin静脈内注射液）、Atracurium Besylate注射液（ベシル酸アトラクリウム注射液）、Avastin、Azactam注射液（アズトレオナム注射液）、アジスロマイシン（Zithromax注射液）、アズトレオナム注射液（Azactam注射液）、バクロフェン注射液（Lioresal Intrathecal）、Bacteriostatic Water（Bacteriostatic Water、注射用）、バクロフェン注射液（Lioresal Intrathecal）、Bal in Oil Ampules（ジメルカープロール注射液）、BayHepB、BayTet、Benadryl、ベンダムスチン塩酸塩注射液（Treanda）、メシル酸ベンツトロピン注射液（Cogentin）、ベタメタゾン注射可能懸濁液（Celestone Soluspan）、Bexxar、Bicillin C-R 900/300（ペニシリンＧベンザチン及びペニシリンＧプロカイン注射液）、Blenoxane（ブレオマイシン硫酸塩注射液）、ブレオマイシン硫酸塩注射液（Blenoxane）、Boniva��射液（イバンドロン酸ナトリウム注射液）、Botox Cosmetic（オナボツリヌス毒素Ａ、注射用）、BR3-FC、Bravelle（ウロフォリトロピン注射液）、Bretylium（トシル酸ブレチリウム注射液）、Brevital Sodium（メトヘキシタールナトリウム、注射用）、Brethine、Briobacept、BTT-1023、Bupivacaine HCl、Byetta、Ca-DTPA（ペンテト酸カルシウム三ナトリウム注射液）、カバジタキセル注射液（Jevtana）、Caffeine Alkaloid（カフェイン及び安息香酸ナトリウム注射液）、Calcijex注射液（カルシトリオール）、カルシトリオール（Calcijex注射液）、塩化カルシウム（塩化カルシウム注射液１０％）、Calcium Disodium Versenate（エデト酸カルシウム二ナトリウム注射液）、Campath（アルテムツズマブ）、Camptosar注射液（イリノテカン塩酸）、カナキヌマブ注射液（Ilaris）、Capastat Sulfate（カプレオマイシン、注射用）、注射用カプレオマイシン（Capastat Sulfate）、Cardiolite（注射用テクネチウムＴｃ９９セスタミビのプレップキット）、Carticel、Cathflo、Cefazolin、注射用Dextrose（セファゾリン注射液）、Cefepime塩酸塩chloride、Cefotaxime、セフトリアキソン、Cerezyme、Carnitor注射液、Caverject、Celestone Soluspan、Celsior、Cerebyx（ホスフェニトインナトリウム注射液）、Ceredase（アルグルセラーゼ注射液）、Ceretec（テクネチウムＴｃ９９ｍエキサメタジム注射液）、セルトリズマブ、CF-101、Chloramphenicol Sodium Succinate（クロラムフェニコールコハク酸エステルナトリウム注射液）、クロラムフェニコールコハク酸エステルナトリウム注射液（Chloramphenicol Sodium Succinate）、Cholestagel（コレセベラム塩酸塩）、コリオゴナドトロピンアルファ注射液（Ovidrel）、Cimzia、Cisplatin（シスプラチン注射液）、Clolar（クロファラビン注射液）、Clomiphine Citrate、クロニジン注射液（Duraclon）、Cogentin（メシル酸ベンツトロピン注射液）、コリスチメタン酸注射液（Coly-Mycin M）、Coly-Mycin M（コリスチメタン酸注射液）、Compath、塩酸コニバプタン注射液（Vaprisol）、注射用結合型エストロゲン（Premarin注射液）、Copaxone、注射用コルチコレリンオウバイントリフルタート（Acthrel）、Corvert（フマル酸イブチリド注射液）、Cubicin（ダプトマイシン注射液）、CF-101、Cyanokit（注射用ヒドロキソコバラミン）、シタラビンリポソーム注射液（DepoCyt）、Cyanocobalamin、Cytovene（ganciclovir）、D.H.E. 45、ダセツズマブ、Dacogen（デシタビン注射液）、Dalteparin、Dantrium IV（注射用ダントロレンナトリウム）、注射用ダントロレンナトリウム（Dantrium IV）、ダプトマイシン注射液（Cubicin）、Darbepoietin Alfa、DDAVP注射液（デスモプレシン酢酸塩注射液）、Decavax、デシタビン注射液（Dacogen）、Dehydrated Alcohol（無水アルコール注射液）、デノスマブ注射液（Prolia）、Delatestryl、Delestrogen、Delteparin Sodium、Depacon（バルプロ酸ナトリウム注射液）、Depo Medrol（酢酸メチルプレドニゾロン注射可能懸濁液）、DepoCyt（シタラビンリポソーム注射液）、DepoDur（モルヒネ硫酸塩ＸＲリポソーム注射液）、デスモプレシン酢酸塩注射液（DDAVP注射液）、Depo-Estradiol、Depo-Provera 104 mg/ml、Depo-Provera 150 mg/ml、Depo-Testosterone、注射用デクスラゾキサン、静脈内注射のみ（Totect）、Dextrose/Electrolytes、Dextrose and Sodium Chloride注射液（５％デキストロースの０．９％塩化ナトリウム溶液）、Dextrose、Diazepam注射液（ジアゼパム注射液）、ジゴキシン注射液（Lanoxin注射液）、Dilaudid-HP（ヒドロモルフォ���塩酸塩注射液）、ジメルカープロール注射液（Bal in Oil Ampules）、ジフェンヒドラミン注射液（Benadryl注射液）、Dipyridamole注射液（ジピリダモール注射液）、DMOAD、注射用ドセタキセル（Taxotere）、メシル酸ドラセトロン注射液（Anzemet注射液）、Doribax（注射用ドリペネム）、注射用ドリペネム（Doribax）、ドキセルカルシフェロール注射液（Hectorol注射液）、Doxil（塩酸ドキソルビシンリポソーム注射液）、塩酸ドキソルビシンリポソーム注射液（Doxil）、Duraclon（クロニジン注射液）、Duramorph（モルヒネ注射液）、Dysport（アボボツリヌストキシンＡ注射液）。
【００７４】
エカランチド注射液（Kalbitor）、EC-Naprosyn（ナプロキセン）、エデト酸カルシウム二ナトリウム注射液（Calcium Disodium Versenate）、Edex（注射液アルプロスタジル）、Engerix、Edrophonium注射液（Enlon）、Eliglustat Tartate、Eloxatin（オキサリプラチン注射液）、Emend注射液（フォサプレピタントジメグルミン注射液）、Enalaprilat注射液（エナラプリラート注射液）、Enlon（エドロホニウム注射液）、エノキサパリンナトリウム注射液（Lovenox）、Eovist（ガドキセト酸二ナトリウム注射液）、Enbrel（エタネルセプト）、Enoxaparin、Epicel、Epinepherine、Epipen、Epipen Jr.、エプラツズマブ、Erbitux、エルタペネム注射液（Invanz）、Erythropoieten、必須アミノ酸注射液（Nephramine）、Estradiol Cypionate、Estradiol Valerate、Etanercept、エキセナチド注射液（Byetta）、Evlotra、Fabrazyme（アダルシダーゼβ）、ファモチジン注射液、FDG（フルデオキシグルコースＦ１８注射液）、Feraheme（フェルモキシトール注射液）、Feridex I.V.（フェルモキシデス注射可能溶液）、Fertinex、フェルモキシデス注射可能溶液（Feridex I.V.）、フェルモキシトール注射液（Feraheme）、Flagyl注射液（メトロニダゾール注射液）、Fluarix、Fludara（フルダラビンリン酸エステル）、フルデオキシグルコースＦ１８（FDG）、フルオレセイン注射液（Ak-Fluor）、Follistim AQ Cartridge（フォリトロピンβ注射液）、フォリトロピンα注射液（Gonal-f RFF）、フォリトロピンβ注射液（Follistim AQ Cartridge）、Folotyn（静脈内注射用プララトレキセート溶液）、Fondaparinux、Forteo（テリパラチド（ｒＤＮＡ由来）注射液）、Fostamatinib、フォサプレピタントジメグルミン注射液（Emend注射液）、ホスカルネットナトリウム注射液（Foscavir）、Foscavir（ホスカルネットナトリウム注射液）、ホスフェニトインナトリウム注射液（Cerebyx）、ホスプロポフォール二ナトリウム注射液（Lusedra）、Fragmin、Fuzeon（エンフビルチド）、GA101、ガドベン酸二メグルミン注射液（Multihance）、ガドホスベセット三ナトリウム注射液（Ablavar）、ガドテリドール注射液（ProHance）、ガドベルセタミド注射液（OptiMARK）、ガドキセト酸二ナトリウム注射液（Eovist）、Ganirelix（ガニレリクス酢酸塩注射液）、Gardasil、GＣ1008、GDFD、注射用ゲムツズマブオゾガマイシン（Mylotarg）、Genotropin、ゲンタマイシン注射液、GENZ-112638、ゴリムマブ注射液（Simponi注射液）、Gonal-f RFF（フォリトロピンα注射液）、グラニセトロン塩酸塩（Kytril注射液）、ゲンタマイシン Sulfate、Glatiramer Acetate、Glucagen、グルカゴン、HAE1、Haldol（ハロペリドール注射液）、Havrix、Hectorol注射液（ドキセルカルシフェロール注射液）、ヘッジホッグシグナル伝達経路阻害薬、Heparin、ハーセプチン、hG-CSF、Humalog、ヒト成長ホルモン、Humatrope、HuMax、Humegon、Humira、Humulin、イバンドロン酸ナトリウム注射液（Boniva注射液）、イブプロフェンリシン注射液（NeoProfen）、フマル酸イブチリド注射液（Corvert）、Idamycin PFS（イダルビシン塩酸塩注射液）、イダルビシン塩酸塩注射液（Idamycin PFS）、Ilaris（カナキヌマブ注射液）、注射用イミペネム／シラスタチン（Primaxin I.V.）、Imitrex、注射用インコボツリナムトキシンＡ（Xeomin）、Increlex（メカセルミン［ｒＤＮＡ由来］注射液）、Indocin IV（インドメタシン注射液）、インドメタシン注射液（Indocin IV）、Infanrix、Innohep、インスリン、インスリンアスパルト［ｒＤＮＡ由来］注射液（NovoLog）、インスリングラルギン［ｒＤＮＡ由来］注射液（Lantus）、インスリングルリジン［ｒＤＮＡ由来］注射液（Apidra）、インターフェロンα−２ｂ、注射用遺伝子組換え（Intron A）、Intron A（インターフェロンα−２ｂ、注射用遺伝子組換え）、Invanz（エルタペネム注射液）、Invega Sustenna（パリペリドンパルミチン酸エステル徐放性注射可能懸濁液）、Invirase（サキナビルメシラート）、静脈内投与用ヨーベングアン１１２３注射液（AdreView）、イオプロミド注射液（Ultravist）、イオベルソール注射液（Optiray注射液）、Iplex（メカセルミンリンファバート［ｒＤＮＡ由来］注射液）、Iprivask、塩酸イリノテカン（Camptosar注射液）、含糖酸化鉄注射液（Venofer）、Istodax（注射用ロミデプシン）、イトラコナゾール注射液（Sporanox注射液）、Jevtana（カバジタキセル注射液）、Jonexa、Kalbitor（エカランチド注射液）、KCL in D5NS（塩化カリウムの５％ブドウ糖及び塩化ナトリウム注射液）、KCL in D5W、KCL in NS、Kenalog 10注射液（トリアムシノロンアセトニド注射可能懸濁液）、Kepivance（パリフェルミン）、Keppra注射液（レベチラセタム）、Keratinocyte、KFG,キナーゼ阻害剤、Kineret（アナキンラ）、Kinlytic（ウロキナーゼ注射液）、Kinrix、Klonopin（クロナゼパム）、Kytril注射液（グラニセトロン塩酸塩）、ラコサミド錠剤及び注射液（Vimpat）、乳酸リンゲル液、Lanoxin注射液（ジゴキシン注射液）、注射用ランソプラゾール（Prevacid I.V.）、Lantus、Leucovorin Calcium（ロイコボリンカルシウム注射液）、Lente (L)、Leptin、Levemir、Leukine Sargramostim、Leuprolide Acetate、Levothyroxine、レベチラセタム（Keppra注射液）、Lovenox、Levocarnitine注射液（Carnitor注射液）、Lexiscan（レガデノソン注射液）、Lioresal Intrathecal（バクロフェン注射液）、リラグルチド［ｒＤＮＡ］注射液（Victoza）、Lovenox（エノキサパリンナトリウム注射液）、Lucentis（ラニビズマブ注射液）、Lumizyme、Lupron（酢酸ロイプロリド注射液）、Lusedra（ホスプロポフォール二ナトリウム注射液）、Maci、Magnesium Sulfate（硫酸マグネシウム注射液）、マンニトール注射液（Mannitol IV）、Marcaine（ブピバカイン塩酸塩及びエピネフリン注射液）、Maxipime（注射用セフェピム塩酸塩）、MDP Multidose Kit of Technetium Injection（テクネチウムＴｃ９９ｍメドロナート注射液）、メカセルミン［ｒＤＮＡ由来］注射液（Increlex）、メカセルミンリンファバート［ｒＤＮＡ由来］注射液（Iplex）、メルファラン塩酸塩注射液（Alkeran注射液）、メトトレキサート、Menactra、Menopur（メノトロピンス注射液）、注射用メノトロピンス（Repronex）、注射用メトヘキシタールナトリウム（Brevital Sodium）、メチルドーパート塩酸塩注射液、溶液（メチルドーパート塩酸塩）、Methylene Blue（メチレンブルー注射液）、酢酸メチルプレドニゾロン注射可能懸濁液（Depo Medrol）、MetMab、メトクロプラミド注射液（Reglan注射液）、Metrodin（注射用ウロフォリトロピン）、メトロニダゾール注射液（Flagyl注射液）、Miacalcin、Midazolam（ミダゾラム注射液）、Mimpara（シナカルセト）、Minocin注射液（ミノサイクリン注射液）、ミノサイクリン注射（Minocin注射液）、Mipomersen、注射濃縮物用ミトキサントロン（Novantrone）、モルヒネ注射液（Duramorph）、モルヒネ硫酸塩ＸＲリポソーム注射液（DepoDur）、Morrhuate Sodium（モルイン酸ナトリウム注射液）、Motesanib、Mozobil（プレリキサホル��射液）、Multihance（ガドベン酸二メグルミン注射液）、複合電解質及びブドウ糖注射液、複合電解質注射液、Mylotarg（注射用ゲムツズマブオゾガマイシン）、Myozyme（アルグルコシダーゼα）、Nafcillin注射液（ナフシリンナトリウム）、ナフシリンナトリウム（Nafcillin注射液）、ナルトレキソンXR注射液（Vivitrol）、Naprosyn（ナプロキセン）、NeoProfen（イブプロフェンリシン注射液）、Nandrol Decanoate、Neostigmine Methylsulfate（メチル硫酸ネオスチグミン注射液）、NEO-GAA、NeoTect（テクネチウムＴｃ９９ｍデプレオチド注射液）、Nephramine（必須アミノ酸注射液）、Neulasta（ペグフィルグラスチム）、Neupogen（フィルグラスチム）、Novolin、Novolog、NeoRecormon、Neutrexin（グルクロン酸トリメトレキサート注射液）、NPH(N)、Nexterone（アミオダロン塩酸塩注射液）、Norditropin（ソマトロピン注射液）、Normal Saline（塩化ナトリウム注射液）、Novantrone（注射濃縮物用ミトキサントロン）、Novolin 70/30 Innolet (70% NPH、ヒトイソフェンインスリン懸濁液及び３０％標準ヒトインスリン注射液）、NovoLog（インスリンアスパルト［ｒＤＮＡ由来］注射液）、Nplate（ロミプロスチム）、Nutropin（注射用ソマトロピン（ｒＤＮＡ由来））、Nutropin AQ、Nutropin Depot（注射用ソマトロピン（ｒＤＮＡ由来））、酢酸オクトレオチド注射液（Sandostatin LAR）、オクレリズマブ、オファツムマブ注射液（Arzerra）、オランザピン徐放性注射可能懸濁液（Zyprexa Relprevv）、Omnitarg、Omnitrope（ソマトロピン［ｒＤＮＡ由来］注射液）、オンダンセトロン塩酸塩注射液（Zofran注射液）、OptiMARK（ガドベルセタミド注射液）、Optiray注射液（イオベルソール注射液）、Orencia、Osmitrol注射液Aviva容器入り(マンニトール注射液Avivaプラスチック容器250入り)、Osmitrol注射液Viaflex入り(マンニトール注射液Viaflexプラスチック容器250入り)、Osteoprotegrin、Ovidrel（コリオゴナドトロピンα注射液）、Oxacillin（注射用オキサシリン）、オキサリプラチン注射液（Eloxatin）、オキシトシン注射液（Pitocin）、パリペリドンパルミチン酸エステル徐放性注射可能懸濁液（Invega Sustenna）、パミドロネート二ナトリウム注射液、静脈内投与用パニツムマブ注射液（Vectibix）、パパベリン（Papaverine）塩酸塩注射液、副甲状腺ホルモン、パリカルシトール注射液、押し上げ式バイアル入り（Zemplar注射液）、PARP阻害剤、Pediarix、PEGlntron、ペグインターフェロン、ペグフィルグラスチム、ペニシリンＧベンザチン及びペニシリンＧプロカイン、ペンテト酸カルシウム三ナトリウム注射液（Ca-DTPA）、ペンテト酸亜鉛三ナトリウム注射液（Zn-DTPA）、Pepcid注射液（ファモチジン注射液）、Pergonal、ペルツズマブ、Phentolamine Mesylate（注射用フェントラミンメシル酸塩）、Salicylate（サリチル酸フィゾスチグミン(Physostigmine)（注射液））、ピペラシリン・タゾバクタム注射液（Zosyn）、Pitocin（オキシトシン注射液）、Plasma-Lyte 148（複合電解質注射液）、Plasma-Lyte 56及びブドウ糖（複合電解質及びブドウ糖注射液、Viaflexブラスチック容器２５０入り）、PlasmaLyte、プレリキサホル注射液（Mozobil）、ポリドカノール注射液（Asclera）、塩化カリウム、静脈内注射用プララトレキセート溶液（Folotyn）、酢酸プラムリンタイド注射液（Symlin）、Premarin注射液（注射用結合型エストロゲン）、注射用テクネチウムＴｃ９９セスタミビのプレップキット（Cardiolite）、Prevacid I.V.（注射用ランソプラゾール）、Primaxin I.V.（注射用イミペネム及びシラスタチン）、Prochymal、Procrit、プロゲステロン、ProHance（ガドテリドール注射液）、Prolia（デノスマブ注射液）、Promethazine HCl注射液（塩酸プロメタジン注射液）、プロプラノロール(Propranolol)塩酸塩注射液。
【００７５】
グルコン酸キニジン注射液（Quinidine注射液）、Quinidine注射液（グルコン酸キニジン注射液）、R-Gene 10（塩酸アルギニン注射液注射液）、ラニビズマブ注射液（Lucentis）、ラニチジン塩酸塩注射液（Zantac注射液）、Raptiva、Reclast（ゾレドロン酸注射液）、Recombivarix HB、レガデノソン注射液（Lexiscan）、Reglan注射液（メトクロプラミド注射液）、Remicade、Renagel、Renvela（炭酸セベラマー）、Repronex（注射用メノトロピンス）、Retrovir IV（ジドブジン注射液）、rhApo2L/TRAIL、リンゲル液及び５％ブドウ糖注射液（Ringers in Dextrose）、リンゲル注射液（リンゲル注射液）、Rituxan、リツキシマブ、Rocephin（セフトリアキソン）、ロクロニウムブロミド注射液（Zemuron）、Roferon-A（インターフェロンα−２ａ）、Romazicon（フルマゼニル）、注射用ロミデプシン（Istodax）、Saizen（ソマトロピン注射液）、Sandostatin LAR（酢酸オクトレオチド注射液）、Sclerostin Ab、Sensipar（cinacalcet）、Sensorcaine（ブピバカイン塩酸塩注射液）、Septocaine（Articane HCl及びエピネフリン注射液）、Serostim LQ（ソマトロピン（ｒＤＮＡ由来）注射液）、Simponi注射液（ゴリムマブ注射液）、Sodium Acetate（酢酸ナトリウム注射液）、炭酸水素ナトリウム（５％注射液）、Sodium Lactate（乳酸ナトリウム注射液、AVIVA入り）、フェニル酢酸ナトリウム及び 安息香酸ナトリウム注射液（Ammonul）、注射用ソマトロピン（ｒＤＮＡ由来）（Nutropin）、Sporanox注射液（イトラコナゾール注射液）、Stelara注射液（ウステキヌマブ）、Stemgen、Sufenta（クエン酸スフェンタニル注射液）、クエン酸スフェンタニル注射液（Sufenta）、Sumavel、スマトリプタン注射液（Alsuma）、Symlin、Symlin Pen、全身性ヘッジホッグ拮抗薬、Synvisc-One（Hylan G-F 20 Single関節内注射液）、Tarceva、Taxotere（注射用ドセタキセル）、テクネチウムＴｃ９９ｍ、注射用テラバンシン（Vibativ）、テムシロリムス注射液（Torisel）、Tenormin I.V.注射液（アテノロール注射液）、テリパラチド（ｒＤＮＡ由来）注射液（Forteo）、シピオン酸テストステロン、テストステロンエナント酸エステル、プロピオン酸テストステロン、Tev-Tropin（ソマトロピン、ｒＤＮＡ由来、注射用）、tgAAC94、塩化タリウム、テオフィリン、Thiotepa（チオテパ注射液）、Thymoglobulin（抗胸腺細胞グロブリン（ウサギ）、Thyrogen（注射用サイロトロピンα）、チカルシリン二ナトリウム及びクラブラン酸カリウムGalaxy（Timentin注射液）、Tigan注射液（注射可能な塩酸トリメトベンズアミド）、Timentin注射液（チカルシリン二ナトリウム及びクラブラン酸カリウムGalaxy）、TNKase、Tobramycin注射液（トブラマイシン注射液）、トシリズマブ注射液（Actemra）、Torisel（テムシロリムス注射液）、Totect（注射用デクスラゾキサン、静脈内注射のみ）、Trastuzumab-DM1、Travasol（アミノ酸（注射液））、Treanda（ベンダムスチン塩酸塩注射液）、Trelstar（注射可能懸濁液用トリプトレリンパモアート）、トリアムシノロンアセトニド、酢酸トリアムシノロン、トリアムシノロンヘキサアセトニド注射可能懸濁液（Aristospan注射液２０ｍｇ）、Triesence（トリアムシノロンアセトニド注射可能懸濁液）、塩酸トリメトベンズアミド注射可能液（Tigan注射液）、グルクロン酸トリメトレキサート注射液（Neutrexin）、注射可能懸濁液用トリプトレリンパモアート（Trelstar）、Twinject、Trivaris（トリアムシノロンアセトニド注射可���懸濁液）、Trisenox（三酸化ヒ素注射液）、Twinrix、Typhoid Vi、Ultravist（イオプロミド注射液）、注射用ウロフォリトロピン（Metrodin）、ウロキナーゼ注射液（Kinlytic）、ウステキヌマブ（Stelara注射液）、Ultralente (U)、Valium（ジアゼパム）、バルプロ酸ナトリウム注射液（Depacon）、Valtropin（ソマトロピン注射液）、Vancomycin Hydrochloride（バンコマイシン塩酸塩注射液）、バンコマイシン塩酸塩注射液（Vancomycin Hydrochloride）、Vaprisol（塩酸コニバプタン注射液）、VAQTA、Vasovist（静脈内投与用ガドホスベセット三ナトリウム注射液）、Vectibix（静脈内投与用パニツムマブ注射液）、Venofer（含糖酸化鉄注射液）、ベルテポルフィン注射液（Visudyne）、Vibativ（注射用テラバンシン）、Victoza（リラグルチド［ｒＤＮＡ］注射液）、Vimpat（ラコサミド錠剤及び注射液）、Vinblastine Sulfate（ビンブラスチン硫酸塩注射液）、Vincasar PFS（ビンクリスチン硫酸塩注射液）、Victoza、Vincristine Sulfate（ビンクリスチン硫酸塩注射液）、Visudyne（ベルテポルフィン注射液）、ビタミンＢ−１２、Vivitrol（ナルトレキソンＸＲ注射液）、Voluven（ヒドロキシエチル澱粉の塩化ナトリウム注射液）、Xeloda、Xenical（orlistat）、Xeomin（注射用インコボツリナムトキシンＡ）、Xolair、Zantac注射液（ラニチジン塩酸塩注射液）、Zemplar注射液（パリカルシトール注射液、押し上げ式バイアル入り）、Zemuron（ロクロニウムブロミド注射液）、Zenapax（ダクリズマブ）、Zevalin、ジドブジン注射液（Retrovir IV）、Zithromax注射液（アジスロマイシン）、Zn-DTPA（ペンテト酸亜鉛三ナトリウム注射液）、Zofran注射液（オンダンセトロン塩酸塩注射液）、Zingo、注射用ゾレドロン酸（Zometa）、ゾレドロン酸注射液（Reclast）、Zometa（注射用ゾレドロン酸）、Zosyn（ピペラシリン・タゾバクタム注射液）、Zyprexa Relprevv（オランザピン徐放性注射可能懸濁液）、及びこれらの組み合わせ。
【００７６】
本願の発明を一般的に、また特定の態様に関して上記のように記載した。当業者には自明だが、本開示の範囲を逸脱することなく様々な修正及び変更を行うことができる。従って、これらの態様は、添付の請求項及びそれらの均等物の範囲内であれば本発明の修正及び変更を含むことが意図される。
【図１】
2020170012.tif 000003
【図２】
2020170012.tif 000004
【図３】
2020170012.tif 000005
【図４】
2020170012.tif 000006
【図５】
2020170012.tif 000007
【図６】
2020170012.tif 000008
【図７】
2020170012.tif 000009
【図８】
2020170012.tif 000010
【図９】
2020170012.tif 000011
【図１０】
2020170012.tif 000012
【図１１】
2020170012.tif 000013
【図１２】
2020170012.tif 000014
【図１３】
2020170012.tif 000015
【手続補正書】
【提出日】令和2年7月20日(2020.7.20)
【手続補正１】
【補正対象書類名】明細書
【補正対象項目名】００７６
【補正方法】変更
【補正の内容】
【００７６】
本願の発明を一般的に、また特定の態様に関して上記のように記載した。当業者には自明だが、本開示の範囲を逸脱することなく様々な修正及び変更を行うことができる。従って、これらの態様は、添付の請求項及びそれらの均等物の範囲内であれば本発明の修正及び変更を含むことが意図される。
以下の項目［１］〜［２０］に、本発明の実施形態の例を列記する。
［１］
潤滑処理していない乾燥注射器を検査する方法であって、
潤滑処理していない乾燥注射器の注射器外筒とその内部に配置された注射器止具（syringe stopper）との間の接触領域を光学的に画像化して、前記注射器止具と前記注射器外筒の内径との間の封止領域の噛み合わせに相関する封止線を含む接触部画像を形成し、
前記接触部画像で封止線の不連続を分析し、前記注射器が前記不連続に基づいて欠陥基準を超えているか否かを判定する
ことを含む方法。
［２］
前記欠陥基準は前記封止線を横断する不連続部を含む、項目１に記載の方法。
［３］
前記接触領域の光学的画像化は、前記接触領域を線走査カメラで画像化することを含む、項目１に記載の方法。
［４］
前記接触領域の光学的画像化は、前記注射器の周囲で前記接触領域の複数の画像を撮ることを含む、項目１に記載の方法。
［５］
前記接触領域の光学的画像化は、前記注射器の周りを少なくとも完全に一回転して画像データを収集することを含む、項目１に記載の方法。
［６］
前記接触領域の光学的画像化は、グレースケールの接触部画像を生成することを含む、項目１に記載の方法。
［７］
前記注射器止具は、前記封止領域に隣接する指示領域を有すると共に、前記封止線の連続部の分析は、前記封止線の色又は強度を前記接触部画像の指示領域の色又は強度と比較することを含む、項目１に記載の方法。
［８］
前記接触部画像は、前記注射器止具と前記注射器外筒の内径との複数の封止領域の噛み合わせに相関する複数の封止線を含む、項目１に記載の方法。
［９］
潤滑処理していない湿潤注射器を検査する方法であって、
潤滑処理していない湿潤注射器の注射器外筒に配置された注射器止具との接触領域を光学的に画像化して、前記注射器止具の封止領域に相関する封止線及び前記注射器止具の指示領域に相関する指示線を含む接触部画像を形成し、
前記接触部画像の指示線を分析して、前記指示領域と前記注射器外筒との接触を検出し、
前記指示領域と前記注射器外筒との検出された接触に基づいて前記注射器が欠陥基準を越えているか否かを判定する
ことを含む方法。
［１０］
前記接触部画像は、前記注射器止具の複数の封止領域に相関する複数の封止線を含む、項目９に記載の方法。
［１１］
前記接触部画像は、前記注射器止具の複数の指示領域に相関する複数の指示線を含む、項目９に記載の方法。
［１２］
前記接触部画像の指示線を分析して前記指示領域と前記注射器外筒との接触を検出することは、前記指示線の色又は強度を前記封止線の色又は強度と比較することを含む、項目９に記載の方法。
［１３］
前記指示線は、色及び強度データのうちの少なくとも一方を含み、前記接触部画像の指示線を分析して前記指示領域と前記注射器外筒との接触を検出することは、色及び強度データのうちの少なくとも一方が閾値を超えているか否かを判定することを含む、項目９に記載の方法。
［１４］
前記接触領域の光学的画像化は、前記接触領域を線走査カメラで画像化することを含む、項目９に記載の方法。
［１５］
前記接触領域の光学的画像化は、前記注射器の全周で前記接触領域の複数の画像を撮ることを含む、項目９に記載の方法。
［１６］
前記接触領域の光学的画像化は、前記注射器の周りを少なくとも完全に一回転して画像データを収集することを含む、項目９に記載の方法。
［１７］
前記接触領域の光学的画像化は、グレースケールの接触部画像を生成することを含む、項目９に記載の方法。
［１８］
潤滑処理していない乾燥注射器を検査する方法は、
内径及び外径を有する外筒、及び前記外筒に挿入された、封止領域を有する注射器止具を含む注射器を準備し、
前記注射器止具と前記外筒の内径との接触領域を光学的に画像化して、前記封止領域と前記外筒の内径との接触に相関する線を含む接触部画像を形成し、
前記接触部画像を目視で検査する
ことを含み、
ここで前記線が不連続である場合、前記注射器には欠陥がある、方法。
［１９］
湿潤潤滑処理していない注射器を検査する方法であって、
内径及び外径を有する外筒、前記外筒に挿入された、封止領域を有する注射器止具、及び前記封止領域に隣接する指示領域を含む注射器を準備し、
前記注射器止具と前記外筒の内径との接触領域を光学的に画像化して、前記封止領域と前記外筒の内径との接触に相関する幅を有する線を含む接触部画像を形成し、
前記接触部画像を目視で検査する
ことを含み、
ここで前記線及び指示領域の色又は強度が実質的に同じである場合、前記注射器には欠陥がある、方法。
［２０］
潤滑処理していない湿潤注射器を検査する方法であって、
内径及び外径を有する外筒、及び前記外筒に挿入され、第一の封止領域、第二の封止領域、及びこれらの間の指示領域を含む注射器止具を含む注射器を準備し、
前記注射器止具と前記外筒の内径との接触領域を光学的に画像化して、接触部画像を形成し、
前記第一の封止領域と前記外筒の内径との接触に相関する第一の線、前記第二の封止領域と前記外筒の内径との接触に相関する第二の線、及び前記指示領域に相関する前記第一の線と前記第二の線の間の空間を含む前記接触部画像を目視で検査する
ことを含み、
ここで前記指示領域の色又は強度が前記第一の線と前記第二の線の間に延びている場合、前記注射器には欠陥がある、方法。
【手続補正２】
【補正対象書類名】特許請求の範囲
【補正対象項目名】全文
【補正方法】変更
【補正の内容】
【特許請求の範囲】
【請求項１】
潤滑処理していない湿潤注射器を検査する方法であって、前記方法は：
潤滑処理していない湿潤注射器の注射器外筒に配置された注射器止具との接触領域を光学的に画像化して、前記注射器止具の封止領域に相関する封止線及び前記注射器止具の指示領域に相関する指示線を含む接触部画像を形成することであって、前記指示領域は前記封止領域の近位側に隣接し、前記指示領域は、前記封止領域が破れたときに発生する液体の存在下、その液体を毛細管作用で運んで、光学的に画像化した場合に前記指示領域の色又は強度の変化を生じるよう構成されている、平坦な先細りになっていない構成を含む、ことと；
前記接触部画像の指示線を分析して、前記指示領域の色又は強度を検出することと；
前記指示領域の検出された前記色又は強度に基づいて前記注射器が欠陥基準を越えているか否かを判定することと
を含む方法。
【請求項２】
前記接触部画像は、前記注射器止具の複数の封止領域に相関する複数の封止線を含む、請求項１に記載の方法。
【請求項３】
前記接触部画像は、前記注射器止具の複数の指示領域に相関する複数の指示線を含む、請求項１に記載の方法。
【請求項４】
前記接触部画像の指示線を分析して前記指示領域の色又は強度を検出することは、前記指示線の前記色又は強度を前記封止線の色又は強度と比較することを含む、請求項１に記載の方法。
【請求項５】
前記指示線は、色及び強度のうちの少なくとも一方を含み、前記接触部画像の指示線を分析して前記指示領域の色又は強度を検出することは、前記色及び強度のうちの少なくとも一方が閾値を超えているか否かを判定することを含む、請求項１に記載の方法。
【請求項６】
前記接触領域の光学的画像化は、前記接触領域を線走査カメラで画像化することを含む、請求項１に記載の方法。
【請求項７】
前記接触領域の光学的画像化は、前記注射器の全周で前記接触領域の複数の画像を撮ることを含む、請求項１に記載の方法。
【請求項８】
前記接触領域の光学的画像化は、前記注射器の周りを少なくとも完全に一回転して画像データを収集することを含む、請求項１に記載の方法。
【請求項９】
前記接触領域の光学的画像化は、グレースケールの接触部画像を生成することを含む、請求項１に記載の方法。
【請求項１０】
潤滑処理していない湿潤注射器を検査する方法であって、前記方法は：
内径及び外径を有する外筒、前記外筒に挿入された、封止領域及び前記封止領域の近位側に隣接する指示領域を有する注射器止具を含む注射器を準備することであって、前記指示領域は、前記封止領域が破れたときに発生する液体の存在下、その液体を毛細管作用で運んで、光学的に画像化した場合に前記指示領域の色又は強度の変化を生じるよう構成されている、平坦な先細りになっていない構成を含む、ことと；
前記注射器止具と前記外筒の内径との接触領域を光学的に画像化して、前記封止領域と前記外筒の内径との接触に相関する幅を有する線を含む接触部画像を形成することと；
前記接触部画像を目視で検査することと
を含み、
ここで前記線及び指示領域の色又は強度が実質的に同じである場合、前記注射器には欠陥がある、方法。
【請求項１１】
潤滑処理していない湿潤注射器を検査する方法であって、前記方法は：
内径及び外径を有する外筒、及び前記外筒に挿入され、第一の封止領域、第二の封止領域、及びこれらの間の指示領域を含む注射器止具を含む注射器を準備することであって、前記指示領域は、前記封止領域が破れたときに発生する液体の存在下、その液体を毛細管作用で運んで、光学的に画像化した場合に前記指示領域の色又は強度の変化を生じるよう構成されている、平坦な先細りになっていない構成を含む、ことと；
前記注射器止具と前記外筒の内径との接触領域を光学的に画像化して、接触部画像を形成することと；
前記第一の封止領域と前記外筒の内径との接触に相関する第一の線、前記第二の封止領域と前記外筒の内径との接触に相関する第二の線、及び前記指示領域に相関する前記第一の線と前記第二の線の間の空間を含む前記接触部画像を目視で検査することと；
を含み、
ここで前記指示領域の前記色又は強度の変化が前記第一の線と前記第二の線の間に検出される場合、前記注射器には欠陥がある、方法。
【外国語明細書】
2020170012000001.pdf